(57)【要約】  一実施形態によれば、ワイヤレスデバイスによって実施される方法は、ネットワークノードに、第１のメッセージを送信するためのリソースのグラントを要求するメッセージを送信することと、応答してリソースをグラントするグラントメッセージを受信することと、を含む。方法はさらに、グラントメッセージに少なくとも部分的に基づいて、ワイヤレスデバイスの一時的デバイス識別子の長さが、ネットワークノードが第１のメッセージで受信することができる限界を超えているか否かを判定することを含む。一時的デバイス識別子が限界を超えていない場合、方法は、一時的デバイス識別子を第１のメッセージでネットワークノードに送信することを含む。一時的デバイス識別子が限界を超えている場合、方法は、ネットワークノードに、一時的デバイス識別子の第１の部分を第１のメッセージで送信することと、一時的識別子の第２の部分を第２のメッセージで送信することと、を含む。【選択図】図６
2021520722.tif 000002
【特許請求の範囲】
【請求項１】
ネットワークノードに対して、第１のメッセージを送信するためのリソースをワイヤレスデバイスにグラントするように前記ネットワークノードに要求する要求メッセージを送信すること（１９１０）と、
前記ネットワークノードから、前記第１のメッセージを送信するための前記リソースを前記ワイヤレスデバイスにグラントするグラントメッセージを受信すること（１９２０）と、
前記グラントメッセージの内容に少なくとも部分的に基づいて、前記ワイヤレスデバイスの一時的デバイス識別子の長さが、前記ネットワークノードが前記第１のメッセージで受信することができる限界を超えているか否かを判定すること（１９３０）と、
前記一時的デバイス識別子が前記限界を超えていない場合、前記一時的デバイス識別子を含む前記第１のメッセージを前記ネットワークノードに送信すること（１９４０）と、
前記一時的デバイス識別子が前記限界を超えている場合、
前記一時的デバイス識別子の第１の部分を含む前記第１のメッセージを前記ネットワークノードに送信すること（１９５０）と、
前記一時的デバイス識別子の第２の部分を含む第２のメッセージを前記ネットワークノードに送信すること（１９６０）と、を含む、ワイヤレスデバイスによって実施される方法（１９００）。
【請求項２】
前記第１のメッセージが無線リソース制御（ＲＲＣ）セットアップ要求を含む、請求項１に記載の方法。
【請求項３】
前記第２のメッセージがＲＲＣセットアップ完了メッセージを含む、請求項１又は２に記載の方法。
【請求項４】
前記第２のメッセージが、ＲＲＣセットアップメッセージを前記ネットワークノードから受信したことに応答して送信される、請求項１から３のいずれか一項に記載の方法。
【請求項５】
前記第１のメッセージ及び前記第２のメッセージを送信する前に、前記一時的デバイス識別子を前記第１の部分及び前記第２の部分に分割することをさらに含む、請求項１から４のいずれか一項に記載の方法。
【請求項６】
前記一時的デバイス識別子を前記第１の部分及び前記第２の部分に分割することが、前記一時的デバイス識別子の長さが前記限界を超えているとの前記判定に基づく、請求項５に記載の方法。
【請求項７】
前記ネットワークノードから受信する情報に少なくとも部分的に基づいて、前記一時的デバイス識別子のどの部分を前記第２のメッセージに含めるかを判定することをさらに含む、請求項１から６のいずれか一項に記載の方法。
【請求項８】
前記一時的デバイス識別子が第５世代システム一時的移動加入者識別情報（５Ｇ−Ｓ−ＴＭＳＩ）である、請求項１から７のいずれか一項に記載の方法。
【請求項９】
命令を記憶するように設定されたメモリ（１３０、２１５、３９０−１、３９０−２）と、
前記命令を実行するように設定された処理回路（１２０、２０１、３６０、５３８）とを備える、ワイヤレスデバイス（１１０、２００、３３０、４９１、４９２、５３０）であって、
ネットワークノードに対して、第１のメッセージを送信するためのリソースを前記ワイヤレスデバイスにグラントするように前記ネットワークノードに要求する要求メッセージを送信し、
前記ネットワークノードから、前記第１のメッセージを送信するための前記リソースを前記ワイヤレスデバイスにグラントするグラントメッセージを受信し、
前記グラントメッセージの内容に少なくとも部分的に基づいて、前記ワイヤレスデバイスの一時的デバイス識別子の長さが、前記ネットワークノードが前記第１のメッセージで受信することができる限界を超えているか否かを判定し、
前記一時的デバイス識別子が前記限界を超えていない場合、前記一時的デバイス識別子を含む前記第１のメッセージを前記ネットワークノードに送信し、
前記一時的デバイス識別子が前記限界を超えている場合、
前記一時的デバイス識別子の第１の部分を含む前記第１のメッセージを前記ネットワークノードに送信し、
前記一時的デバイス識別子の第２の部分を含む第２のメッセージを前記ネットワークノードに送信するように設定される、ワイヤレスデバイス（１１０、２００、３３０、４９１、４９２、５３０）。
【請求項１０】
前記第１のメッセージが無線リソース制御（ＲＲＣ）セットアップ要求を含む、請求項９に記載のワイヤレスデバイス。
【請求項１１】
前記第２のメッセージがＲＲＣセットアップ完了メッセージを含む、請求項９又は１０に記載のワイヤレスデバイス。
【請求項１２】
前記第２のメッセージが、ＲＲＣセットアップメッセージを前記ネットワークノードから受信したことに応答して送信される、請求項９から１１のいずれか一項に記載のワイヤレスデバイス。
【請求項１３】
前記第１のメッセージ及び前記第２のメッセージを送信する前に、前記一時的デバイス識別子を前記第１の部分及び前記第２の部分に分割するように設定される、請求項９から１２のいずれか一項に記載のワイヤレスデバイス。
【請求項１４】
前記ワイヤレスデバイスが、前記一時的デバイス識別子の長さが前記限界を超えているとの前記判定に基づいて、前記一時的デバイス識別子を前記第１の部分及び前記第２の部分に分割するように設定される、請求項１３に記載のワイヤレスデバイス。
【請求項１５】
前記ワイヤレスデバイスが、前記ネットワークノードから受信する情報に少なくとも部分的に基づいて、前記一時的デバイス識別子のどの部分を前記第２のメッセージに含めるかを判定するようにさらに設定される、請求項９から１４のいずれか一項に記載のワイヤレスデバイス。
【請求項１６】
前記一時的デバイス識別子が第５世代システム一時的移動加入者識別情報（５Ｇ−Ｓ−ＴＭＳＩ）である、請求項９から１５のいずれか一項に記載のワイヤレスデバイス。
【請求項１７】
コンピュータ可読プログラムコードを記憶する非一時的コンピュータ可読媒体（１３０、２１５、３９０−１、３９０−２）を備え、前記コンピュータ可読プログラムコードが、
ネットワークノードに対して、第１のメッセージを送信するためのリソースをワイヤレスデバイスにグラントするように前記ネットワークノードに要求する要求メッセージを送信するプログラムコードと、
前記ネットワークノードから、前記第１のメッセージを送信するための前記リソースを前記ワイヤレスデバイスにグラントするグラントメッセージを受信するプログラムコードと、
前記グラントメッセージの内容に少なくとも部分的に基づいて、前記ワイヤレスデバイスの一時的デバイス識別子の長さが、前記ネットワークノードが前記第１のメッセージで受信することができる限界を超えているか否かを判定するプログラムコードと、
前記一時的デバイス識別子が前記限界を超えていない場合、前記一時的デバイス識別子を含む前記第１のメッセージを前記ネットワークノードに送信するプログラムコードと、
前記一時的デバイス識別子が前記限界を超えている場合、
前記一時的デバイス識別子の第１の部分を含む前記第１のメッセージを前記ネットワークノードに送信し、
前記一時的デバイス識別子の第２の部分を含む第２のメッセージを前記ネットワークノードに送信するプログラムコードと、を含む、コンピュータプログラム製品。
【請求項１８】
第５世代システム一時的移動加入者識別情報（５Ｇ−Ｓ−ＴＭＳＩ）の第１の部分を含む第１のメッセージをネットワークノードに送信すること（２０１０）と、
前記５Ｇ−Ｓ−ＴＭＳＩの第２の部分を含む第２のメッセージを前記ネットワークノードに送信すること（２０２０）と、を含む、ワイヤレスデバイスによって実施される方法（２０００）。
【請求項１９】
前記第１のメッセージが無線リソース制御（ＲＲＣ）要求を含む、請求項１８に記載の方法。
【請求項２０】
前記第２のメッセージがＲＲＣセットアップ完了メッセージを含む、請求項１８又は１９に記載の方法。
【請求項２１】
前記第２のメッセージが、ＲＲＣセットアップメッセージを前記ネットワークノードから受信したことに応答して送信される、請求項１８から２０のいずれか一項に記載の方法。
【請求項２２】
前記第１のメッセージ及び前記第２のメッセージを送信する前に、
前記ネットワークノードに対して、前記第１のメッセージを送信するためのリソースを前記ワイヤレスデバイスにグラントするように前記ネットワークノードに要求する要求メッセージを送信すること（２０３０）と、
前記ネットワークノードから、前記第１のメッセージを送信するための前記リソースを前記ワイヤレスデバイスにグラントするグラントメッセージを受信すること（２０４０）と、をさらに含む、請求項１８から２１のいずれか一項に記載の方法。
【請求項２３】
前記第１のメッセージ及び前記第２のメッセージを送信する前に、前記５Ｇ−Ｓ−ＴＭＳＩを前記第１の部分及び前記第２の部分に分割すること（２０５０）をさらに含む、請求項１８から２２のいずれか一項に記載の方法。
【請求項２４】
前記５Ｇ−Ｓ−ＴＭＳＩを前記第１の部分及び前記第２の部分に分割することが、前記５Ｇ−Ｓ−ＴＭＳＩの長さが、前記ネットワークノードが前記第１のメッセージで受信することができる限界を超えているとの判定に基づく、請求項２３に記載の方法。
【請求項２５】
前記ネットワークノードから受信する情報に少なくとも部分的に基づいて、前記５Ｇ−Ｓ−ＴＭＳＩのどの部分を前記第２のメッセージに含めるかを判定する、請求項１８から２４のいずれか一項に記載の方法。
【請求項２６】
命令を記憶するように設定されたメモリ（１３０、２１５、３９０−１、３９０−２）と、
前記命令を実行するように設定された処理回路（１２０、２０１、３６０、５３８）とを備える、ワイヤレスデバイス（１１０、２００、３３０、４９１、４９２、５３０）であって、
第５世代システム一時的移動加入者識別情報（５Ｇ−Ｓ−ＴＭＳＩ）の第１の部分を含む第１のメッセージをネットワークノードに送信し、
前記５Ｇ−Ｓ−ＴＭＳＩの第２の部分を含む第２のメッセージを前記ネットワークノードに送信するように設定される、ワイヤレスデバイス（１１０、２００、３３０、４９１、４９２、５３０）。
【請求項２７】
前記第１のメッセージが無線リソース制御（ＲＲＣ）要求を含む、請求項２６に記載のワイヤレスデバイス。
【請求項２８】
前記第２のメッセージがＲＲＣセットアップ完了メッセージを含む、請求項２６又は２７に記載のワイヤレスデバイス。
【請求項２９】
前記第２のメッセージが、ＲＲＣセットアップメッセージを前記ネットワークノードから受信したことに応答して送信される、請求項２６から２８のいずれか一項に記載のワイヤレスデバイス。
【請求項３０】
前記第１のメッセージ及び前記第２のメッセージを送信する前に、
前記ネットワークノードに対して、前記第１のメッセージを送信するためのリソースを前記ワイヤレスデバイスにグラントするように前記ネットワークノードに要求する要求メッセージを送信し、
前記ネットワークノードから、前記第１のメッセージを送信するための前記リソースを前記ワイヤレスデバイスにグラントするグラントメッセージを受信するように設定される、請求項２６から２９のいずれか一項に記載のワイヤレスデバイス。
【請求項３１】
前記第１のメッセージ及び前記第２のメッセージを送信する前に、前記５Ｇ−Ｓ−ＴＭＳＩを前記第１の部分及び前記第２の部分に分割するように設定される、請求項２６から３０のいずれか一項に記載のワイヤレスデバイス。
【請求項３２】
前記５Ｇ−Ｓ−ＴＭＳＩを前記第１の部分及び前記第２の部分に分割することが、前記５Ｇ−Ｓ−ＴＭＳＩの長さが、前記ネットワークノードが前記第１のメッセージで受信することができる限界を超えているとの判定に基づく、請求項３１に記載のワイヤレスデバイス。
【請求項３３】
前記ワイヤレスデバイスが、前記ネットワークノードから受信する情報に少なくとも部分的に基づいて、前記５Ｇ−Ｓ−ＴＭＳＩのどの部分を前記第２のメッセージに含めるかを判定するようにさらに設定される、請求項２６から３２のいずれか一項に記載のワイヤレスデバイス。
【請求項３４】
コンピュータ可読プログラムコードを記憶する非一時的コンピュータ可読媒体（１３０、２１５、３９０−１、３９０−２）を備え、前記コンピュータ可読プログラムコードが、
第５世代システム一時的移動加入者識別情報（５Ｇ−Ｓ−ＴＭＳＩ）の第１の部分を含む第１のメッセージをネットワークノードに送信するプログラムコードと、
前記５Ｇ−Ｓ−ＴＭＳＩの第２の部分を含む第２のメッセージを前記ネットワークノードに送信するプログラムコードと、を含む、コンピュータプログラム製品。
【請求項３５】
第５世代システム一時的移動加入者識別情報（５Ｇ−Ｓ−ＴＭＳＩ）の第１の部分を含む第１のメッセージをワイヤレスデバイスから受信すること（２１１０）と、
前記５Ｇ−Ｓ−ＴＭＳＩの第２の部分を含む第２のメッセージを前記ワイヤレスデバイスから受信すること（２１２０）と、
前記ワイヤレスデバイスから受信した前記５Ｇ−Ｓ−ＴＭＳＩの前記第１の部分及び前記５Ｇ−Ｓ−ＴＭＳＩの前記第２の部分を再アセンブルすることによって、前記５Ｇ−Ｓ−ＴＭＳＩを取得すること（２１３０）と、を含む、ネットワークノードによって実施される方法（２１００）。
【請求項３６】
前記取得した５Ｇ−Ｓ−ＴＭＳＩのサイズが、前記ネットワークノードが前記第１のメッセージで受信することができる限界を超えている、請求項３５に記載の方法。
【請求項３７】
前記第１のメッセージが無線リソース制御（ＲＲＣ）要求を含む、請求項３５又は３６に記載の方法。
【請求項３８】
前記第２のメッセージがＲＲＣセットアップ完了メッセージを含む、請求項３５から３７のいずれか一項に記載の方法。
【請求項３９】
前記第１のメッセージの受信に応答して、ＲＲＣセットアップメッセージを前記ワイヤレスデバイスに送信することをさらに含む、請求項３５から３８のいずれか一項に記載の方法。
【請求項４０】
前記第１のメッセージ及び前記第２のメッセージを受信する前に、
前記ワイヤレスデバイスから、前記第１のメッセージを送信するためのリソースを前記ワイヤレスデバイスにグラントするように前記ネットワークノードに要求する要求メッセージを受信することと、
前記ワイヤレスデバイスに、前記第１のメッセージを送信するための前記リソースを前記ワイヤレスデバイスにグラントするグラントメッセージを送信することと、をさらに含む、請求項３５から３９のいずれか一項に記載の方法。
【請求項４１】
前記ワイヤレスデバイスに、前記５Ｇ−Ｓ−ＴＭＳＩのどのビットを前記第１の部分又は前記第２の部分に含めるかを示す情報を送信することをさらに含む、請求項３５から４０のいずれか一項に記載の方法。
【請求項４２】
前記ワイヤレスデバイスに、前記ネットワークノードが前記第１のメッセージで受信することができる前記５Ｇ−Ｓ−ＴＭＳＩの前記第１の部分の長さを示すインジケータを送信することをさらに含む、請求項３５から４１のいずれか一項に記載の方法。
【請求項４３】
前記５Ｇ−Ｓ−ＴＭＳＩを使用して、前記ワイヤレスデバイスを後続のメッセージにおいて識別することをさらに含む、請求項３５から４２のいずれか一項に記載の方法。
【請求項４４】
命令を記憶するように設定されたメモリ（１８０、３９０−１、３９０−２）と、
前記命令を実行するように設定された処理回路（１７０、３６０、５２８）とを備える、ネットワークノード（１６０、３３０、４１２、５２０）であって、
第５世代システム一時的移動加入者識別情報（５Ｇ−Ｓ−ＴＭＳＩ）の第１の部分を含む第１のメッセージをワイヤレスデバイスから受信し、
前記５Ｇ−Ｓ−ＴＭＳＩの第２の部分を含む第２のメッセージを前記ワイヤレスデバイスから受信し、
前記ワイヤレスデバイスから受信した前記５Ｇ−Ｓ−ＴＭＳＩの前記第１の部分及び前記５Ｇ−Ｓ−ＴＭＳＩの前記第２の部分を再アセンブルすることによって、前記５Ｇ−Ｓ−ＴＭＳＩを取得するように設定される、ネットワークノード（１６０、３３０、４１２、５２０）。
【請求項４５】
前記取得した５Ｇ−Ｓ−ＴＭＳＩのサイズが、前記ネットワークノードが前記第１のメッセージで受信することができる限界を超えている、請求項４４に記載のネットワークノード。
【請求項４６】
前記第１のメッセージが無線リソース制御（ＲＲＣ）要求を含む、請求項４４又は４５に記載のネットワークノード。
【請求項４７】
前記第２のメッセージがＲＲＣセットアップ完了メッセージを含む、請求項４４から４６のいずれか一項に記載のネットワークノード。
【請求項４８】
前記ネットワークノードが、前記第１のメッセージの受信に応答して、ＲＲＣセットアップメッセージを前記ワイヤレスデバイスに送信するようにさらに設定される、請求項４４から４７のいずれか一項に記載のネットワークノード。
【請求項４９】
前記第１のメッセージ及び前記第２のメッセージを受信する前に、
前記ワイヤレスデバイスから、前記第１のメッセージを送信するためのリソースを前記ワイヤレスデバイスにグラントするように前記ネットワークノードに要求する要求メッセージを受信し、
前記ワイヤレスデバイスに、前記第１のメッセージを送信するための前記リソースを前記ワイヤレスデバイスにグラントするグラントメッセージを送信するように設定される、請求項４４から４８のいずれか一項に記載のネットワークノード。
【請求項５０】
前記ネットワークノードが、前記ワイヤレスデバイスに、前記５Ｇ−Ｓ−ＴＭＳＩのどのビットを前記第１の部分又は前記第２の部分に含めるかを示す情報を送信するようにさらに設定される、請求項４４から４９のいずれか一項に記載のネットワークノード。
【請求項５１】
前記ネットワークノードが、前記ワイヤレスデバイスに、前記ネットワークノードが前記第１のメッセージで受信することができる前記５Ｇ−Ｓ−ＴＭＳＩの前記第１の部分の長さを示すインジケータを送信するようにさらに設定される、請求項４４から５０のいずれか一項に記載のネットワークノード。
【請求項５２】
前記ネットワークノードが、前記５Ｇ−Ｓ−ＴＭＳＩを使用して、前記ワイヤレスデバイスを後続のメッセージにおいて識別するようにさらに設定される、請求項４４から５１のいずれか一項に記載のネットワークノード。
【請求項５３】
コンピュータ可読プログラムコードを記憶する非一時的コンピュータ可読媒体（１８０、３９０−１、３９０−２）を備え、前記コンピュータ可読プログラムコードが、
第５世代システム一時的移動加入者識別情報（５Ｇ−Ｓ−ＴＭＳＩ）の第１の部分を含む第１のメッセージをワイヤレスデバイスから受信するプログラムコードと、
前記５Ｇ−Ｓ−ＴＭＳＩの第２の部分を含む第２のメッセージを前記ワイヤレスデバイスから受信するプログラムコードと、
前記ワイヤレスデバイスから受信した前記５Ｇ−Ｓ−ＴＭＳＩの前記第１の部分及び前記５Ｇ−Ｓ−ＴＭＳＩの前記第２の部分を再アセンブルすることによって、前記５Ｇ−Ｓ−ＴＭＳＩを取得するプログラムコードと、を備える、コンピュータプログラム製品。
【発明の詳細な説明】
【技術分野】
【０００１】
本開示の特定の実施形態は、全体として、ワイヤレス通信に関し、より詳細には、ワイヤレスデバイス識別子情報の送信に関する。
【背景技術】
【０００２】
一般に、本明細書で使用されるすべての用語は、それが使用されている文脈から異なる意味が明確に与えられる及び／又は暗示されるのでない限り、関連技術分野におけるそれらの通常の意味に従って解釈されるものとする。１つの／その（ａ／ａｎ／ｔｈｅ）要素、装置、構成要素、手段、ステップなどのすべての参照は、特に明記のない限り、要素、装置、構成要素、手段、ステップなどの少なくとも１つの例を参照するものとしてオープンに解釈されるものとする。ステップが別のステップに続く若しくは先行するものとして明示的に記載されていない限り、及び／又はステップが別のステップに続く若しくは先行する必要があるということが黙示的である場合、本明細書で開示されるいずれの方法のステップも、開示されている正確な順番で実行される必要はない。本明細書で開示される実施形態のいずれかの任意の特徴は、適切な場合には、任意の他の実施形態に適用され得る。同様に、いずれかの実施形態の任意の利点は、任意の他の実施形態に適用することができ、逆もまた同様である。含まれる実施形態の他の目的、特徴及び利点が、以下の説明から明らかとなろう。
【０００３】
新しい第３世代パートナーシッププロジェクト（３ＧＰＰ）規格５ＧＳには、５Ｇ及び様々な状態機械に関するシステムとアーキテクチャが記載されている。
【０００４】
１つの「状態機械」は、３ＧＰＰ技術仕様（ＴＳ）２３．５０１に記載されている、接続管理状態モデル（ＣＭ状態モデル）である。
【０００５】
一般に、接続管理は、ユーザ機器（ＵＥ）とコアネットワークノードとの間のシグナリング接続を確立及び解放する機能から成る。５Ｇでは、このノードはアクセス及びモビリティ管理機能（ＡＭＦ）と呼ばれる。
【０００６】
図１は、ノード（たとえば、ＡＭＦ、ＵＥ、（Ｒ）ＡＮ）とインターフェース名とを含む、５Ｇシステムアーキテクチャの一例を示している。接続管理は、後述するＮ１インターフェースを通したシグナリング接続に関する。
【０００７】
Ｎ１を通したシグナリング接続は、ＵＥとコアネットワークとの間の非アクセス階層（ＮＡＳ）シグナリング交換を可能にするのに使用される。それは、ＵＥとＡＮとの間のアクセスノード（ＡＮ）シグナリング接続、及びＡＮとＡＭＦとの間のＮ２接続の両方を含む。
【０００８】
さらに、ＣＭ−ＩＤＬＥ及びＣＭ−ＣＯＮＮＥＣＴＥＤの２つのＣＭ状態が規定されている。
【０００９】
ＣＭ−ＩＤＬＥのＵＥでは、Ｎ１を通じてＡＭＦに対するＮＡＳシグナリング接続は確立されておらず、このＣＭ状態で、ＵＥは、セル選択／再選択と、公共地上移動体ネットワーク（ＰＬＭＮ）選択とを実施する。それに加えて、アイドル状態のＵＥには、ＡＮシグナリング接続又はＮ２／Ｎ３接続はない。
【００１０】
ＵＥがネットワークに登録され、ＣＭ−ＩＤＬＥの場合、通常、ネットワークからのページングメッセージを聴取し、それに応答するものとする。これは、ＣＭ−ＩＤＬＥでもＵＥは到達可能であることを意味する。ユーザ／ＵＥが開始した場合、ＵＥはサービス要求プロシージャを実施することもできるものとする。
【００１１】
ＣＭ−ＣＯＮＮＥＣＴＥＤのＵＥは、ＵＥとアクセスノード（ＡＮ）との間でＡＮシグナリング接続を確立しているＵＥであり、３ＧＰＰアクセスを通じてＲＲＣ＿ＣＯＮＮＥＣＴＥＤ状態に入っている。この接続を通じて、ＵＥは、最初のＮＡＳメッセージ（たとえば、サービス要求）を送信することができ、このメッセージは、ＡＭＦにおけるＣＭ−ＩＤＬＥからＣＭ−ＣＯＮＮＥＣＴＥＤへの移行を開始する。図１に示されるように、ＣＭ−ＣＯＮＮＥＣＴＥＤは、アクセスノード（ＡＮ）とＡＭＦとの間のＮ２接続も要することがある。最初のＮ２メッセージ（たとえば、Ｎ２初期ＵＥメッセージ）の受信によって、図２Ｂに示されるように、ＡＭＦがＣＭ−ＩＤＬＥからＣＭ−ＣＯＮＮＥＣＴＥＤ状態への移行を開始する。
【００１２】
ＣＭ−ＣＯＮＮＥＣＴＥＤ状態では、ＵＥはデータを送信することができ、図２Ａに示されるように、ＡＮシグナリング接続が解放されればいつでも、ＣＭ−ＩＤＬＥに入ることができるものとする。ＡＭＦは、図２Ｂに示されるように、論理Ｎ１シグナリング接続及びＮ３ユーザプレーン接続が解放されればいつでも、ＣＭ−ＩＤＬＥに入る。
【００１３】
ＡＭＦの場合と同様に、ＡＮ、アクセスネットワークにも状態モデルがある（別個に図示しない）。
【００１４】
本開示の特定の実施形態は、アクセスネットワークノードを指すのに「ｇＮＢ」という用語を使用する。「ｇＮＢ」という用語は、本開示の適用可能性に関する限定としてではなく、一種のアクセスネットワークノードの一例と見なされるものとする。他の実施形態では、ｎｇ−ｅＮＢ又はｅＮＢなど、他のタイプのアクセスネットワークノードを使用することができる。
【００１５】
ｇＮＢにおける１つの状態モデルは、無線リソース制御（ＲＲＣ）状態機械である。図３は、ＲＲＣ状態機械の動作と、状態間でのＵＥのトリガ／移行に使用されるメッセージを示している。括弧内の指示（ＳＲＢ０、ＳＲＢ１）は、どのシグナリング無線ベアラを使用してＵＥを状態間で移行させることができるかを示している。図３はまた、移行の原理を示しているが、最終規格において必ずしもすべてのメッセージが同じ名前を有するとは限らない。
【００１６】
ＡＮにあるものとＡＭＦにあるものとの異なる状態機械間のマッピングは、ＣＭ−ＣＯＮＮＥＣＴＥＤがＲＲＣ＿ＣＯＮＮＥＣＴＥＤ又はＲＲＣ＿ＩＮＡＣＴＩＶＥにマッピングすることができ、ＣＭ−ＩＤＬＥが常にＲＲＣ＿ＩＤＬＥにマッピングするようなものである。
【００１７】
ＵＥは、ＲＲＣ接続が確立されているとき、ＲＲＣ＿ＣＯＮＮＥＣＴＥＤ状態又はＲＲＣ＿ＩＮＡＣＴＩＶＥ状態のどちらかにある。これが当てはまらない場合、すなわちＲＲＣ接続が確立されていない場合、ＵＥはＲＲＣ＿ＩＤＬＥ状態にある。これらの異なる状態は３ＧＰＰ  ＴＳ  ３８．３３１にさらに記載されている。
【００１８】
ＲＲＣ＿ＩＤＬＥでは、ＵＥは、特定のオケージョンでページングチャネルを聴取するように設定され、セル（再）選択プロシージャを実施し、システム情報を聴取する。
【００１９】
ＲＲＣ＿ＩＮＡＣＴＩＶＥでは、ＵＥはやはりページングチャネルを聴取し、セル（再）選択プロシージャを行うが、それに加えて設定を維持し、その設定は、必要な際に、たとえばデータがＵＥに到達したときに、データ送信を開始するのに完全なセットアッププロシージャを必要としないように、ネットワーク側でも保持される。
【００２０】
ＲＲＣ＿ＣＯＮＮＥＣＴＥＤでは、ＵＥとの間でデータの転送が行われ、ネットワークがモビリティを制御する。これは、ＵＥが他のセルへのハンドオーバをいつ行うべきかをネットワークが制御することを意味する。接続状態では、ＵＥは依然としてページングチャネルを監視し、ＵＥに対するデータが存在するか否かと関連付けられた制御チャネルを監視する。それによって、チャネル品質及びフィードバック情報がネットワークに提供され、隣接セル測定が実施され、それらの測定値がネットワークに報告される。
【００２１】
ＵＥがＣＭ−ＣＯＮＮＥＣＴＥＤ及びＲＲＣ＿ＩＮＡＣＴＩＶＥのとき、次のことが当てはまる。
・ＵＥ到達可能性は、コアネットワークからの支援情報を用いて、ＲＡＮによって管理される。
・ＵＥページングはＲＡＮによって管理される。
・ＵＥは、ＵＥのＣＮ（５Ｇ  Ｓ−ＴＭＳＩ）及びＲＡＮ識別子（Ｉ−ＲＮＴＩ）を用いてページングを監視する。
【００２２】
ＡＭＦは、ネットワーク設定に基づいて、支援情報を次世代無線アクセスネットワーク（ＮＧ−ＲＡＮ）に提供して、ＵＥをＲＲＣ  Ｉｎａｃｔｉｖｅ状態に送出することができるか否かをＮＧ−ＲＡＮが決定するのを支援してもよい。
【００２３】
「ＲＲＣ  Ｉｎａｃｔｉｖｅ支援情報」は、たとえば、次のものを含むことができる。
・ＵＥ特有の不連続受信（ＤＲＸ）値、
・以下でＴＡＩリスト（ＴｒａｃｋｉｎｇＡｒｅａＩｄｅｎｔｉｆｉｅｒリスト）と呼ばれる場合がある、ＵＥに提供される登録エリア、
・周期的登録更新タイマー、
・ＡＭＦがＵＥに対して端末開始連結専用（ＭＩＣＯ）モードを有効にしている場合、ＵＥがＭＩＣＯモードにあることの指示、
・ＴＳ  ３８．３０４［５０］に規定されているような、ＲＡＮがＵＥのＲＡＮページングオケージョンを計算することを可能にする、ＵＥ永久識別子からの情報。
【００２４】
上述のＲＲＣ  Ｉｎａｃｔｉｖｅ支援情報は、（新しい）サービングＮＧ−ＲＡＮノードを用いたＮ２活性化中（すなわち、登録、サービス要求、ハンドオーバの間）にＡＭＦによって提供されて、ＵＥをＲＲＣ  Ｉｎａｃｔｉｖｅ状態に送出することができるか否かをＮＧ  ＲＡＮが決定するのを支援する。ＲＲＣ  Ｉｎａｃｔｉｖｅ状態はＲＲＣ状態機械の一部であり、ＲＲＣ  Ｉｎａｃｔｉｖｅ状態に入る条件を決定するのはＲＡＮ次第である。ＮＡＳプロシージャの結果として、ＲＲＣ  Ｉｎａｃｔｉｖｅ支援情報に含まれるパラメータのいずれかが変更された場合、ＡＭＦは、ＲＲＣ  Ｉｎａｃｔｉｖｅ支援情報をＮＧ−ＲＡＮノードに更新するものとする。
【００２５】
Ｎ２及びＮ３基準点の状態は、ＲＲＣ  Ｉｎａｃｔｉｖｅ状態でＣＭ−ＣＯＮＮＥＣＴＥＤに入るＵＥによって変更されない。ＲＲＣ  Ｉｎａｃｔｉｖｅ状態のＵＥは、ＲＡＮ通知エリア（ＲＮＡ）を認識している。
【００２６】
ＲＲＣ＿ＩＮＡＣＴＩＶＥ状態のＵＥは、ＲＮＡ（ＲＡＮベース通知エリア）を用いて設定することができ、その場合、
・ＲＮＡは、単一セル又は複数セルをカバーすることができ、ＣＮ登録エリアよりも小さいエリアであり得る。
・ＲＡＮベース通知エリア更新（ＲＮＡＵ）は、ＵＥによって周期的に送出され、ＵＥのセル再選択プロシージャが、設定されたＲＮＡに属さないセルを選択したときにも送出される。
【００２７】
ＲＮＡをどのように設定することができるかについて、次のようないくつかの異なる代替例がある。
・セルのリスト
〇ＵＥに、ＲＮＡを構築するセル（１つ又は複数）の明示的リストが提供される。
・ＲＡＮエリアのリスト
〇ＵＥに、（少なくとも１つの）ＲＡＮエリアＩＤが提供される（ＲＡＮエリアはＣＮ追跡エリアの部分集合である）。
〇セルは、システム情報において（少なくとも１つの）ＲＡＮエリアＩＤをブロードキャストし、それによってＵＥは、セルがどのエリアに属するかを知る。
・ＴＡＩ（追跡エリア識別子）のリスト。ＣＭ−ＩＤＬＥでは、ＵＥ到達可能性を担うのはコアネットワークであり、コアネットワークは、一連の追跡エリア（ＴＡ）によって規定されるＣＮ登録エリアを設定することによってこれを行う。追跡エリア識別子（ＴＡＩ）のリストを通してＵＥのＣＮ登録エリアが設定され、このＣＮ登録エリアは「ＴＡＩリスト」と呼ばれる。
【００２８】
ＲＲＣ  Ｉｎａｃｔｉｖｅ状態でのＣＭ−ＣＯＮＮＥＣＴＥＤへの移行の際、ＮＧ−ＲＡＮは、周期的ＲＡＮ通知エリア更新タイマーが、ＲＲＣ  Ｉｎａｃｔｉｖｅ支援情報に示される周期的登録更新タイマー値の値を考慮に入れるように、ＵＥを設定し、ＵＥに提供されたＲＡＮ通知エリア更新タイマー値よりも長い値を有するガードタイマーを使用する。
【００２９】
周期的ＲＡＮ通知エリア更新ガードタイマーがＲＡＮで時間切れになった場合、ＲＡＮは、ＴＳ  ２３．５０２に指定されているようなＡＮ解放プロシージャを開始することができる。
【００３０】
ＵＥがＲＲＣ  Ｉｎａｃｔｉｖｅ状態でＣＭ−ＣＯＮＮＥＣＴＥＤのとき、ＵＥは、ＣＭ−ＩＤＬＥに関してＴＳ  ２３．１２２に規定されているようなＰＬＭＮ選択プロシージャを実施する。
【００３１】
ＵＥがＲＲＣ  Ｉｎａｃｔｉｖｅ状態でＣＭ−ＣＯＮＮＥＣＴＥＤのとき、ＵＥは、次のことによってＲＲＣ接続を再開してもよい。
・アップリンクデータの保留、
・移動体によるＮＡＳシグナリングプロシージャの開始、
・ＲＡＮページングへの応答として、
・ネットワークへのＲＡＮ通知エリアを離れていることの通知、
・周期的ＲＡＮ更新タイマーの時間切れのとき。
【００３２】
再開する場合、ＵＥは、ＵＥの詳細（たとえば、ベアラ、追跡エリア、スライス、セキュリティ証明書／キーなど）を説明するＵＥコンテキストがどこにあるかに関してネットワークノードに通知する、ネットワークに対する識別子を含むので、再開によってＵＥは、再開したときと同様のＲＲＣ＿ＣＯＮＮＥＣＴＥＤ設定に入る。ＵＥコンテキストを提示する識別子は、不活性無線ネットワーク一時的識別子（Ｉ−ＲＮＴＩ）と呼ばれる。ＵＥが一時停止されるとき、すなわちＲＲＣ＿ＣＯＮＮＥＣＴＥＤからＲＲＣ＿ＩＮＡＣＴＩＶＥへの移行に関連して、Ｉ−ＲＮＴＩがネットワークから提供される。ネットワークは、ＵＥをＲＲＣ＿ＩＮＡＣＴＩＶＥに移行するときにＩ−ＲＮＴＩを割り当て、Ｉ−ＲＮＴＩは、ＵＥコンテキストを識別するのに、すなわちＲＲＣ＿ＩＮＡＣＴＩＶＥのままでネットワークにあるＵＥに関して記憶された詳細の識別子として使用される。
【００３３】
上記は主に５Ｇコアネットワークに接続された新無線（ＮＲ）、すなわち５Ｇシステムに関する説明であったが、ＬＴＥが５Ｇシステムに接続するときの状況に等しく適用可能である。したがって、ＬＴＥ無線を無線ネットワークで実行することも可能であるが、エボルブドパケットコア（ＥＰＣ）システムではなく、たとえばＡＭＦに向かうＮ２インターフェースを有する上記によるアーキテクチャを含む、システムに接続する。
【００３４】
かかる状況では、ＮＲに関して上述したのと同じ詳細を有する、ＲＲＣ＿ＩＮＡＣＴＩＶＥも規定される。
【００３５】
次に、ＲＲＣ要求又はＲＲＣ接続要求プロシージャについてさらに詳細に見ていく。ＬＴＥでは、ＲＲＣ接続要求と呼ばれる。ＮＲでは、ＲＲＣ要求と呼ばれる。これらの用語は交換可能に使用されてもよく、これらのメッセージはどのアクセスが要求されているかを指定してもよい。指定されない場合、上記に規定したようなものとなる。上記のＲＲＣ状態図によって示されるように、このプロシージャは、ＵＥがＲＲＣ＿ＩＤＬＥのときに行われる。
【００３６】
ＲＲＣ＿ＩＤＬＥでは、ＵＥがコアネットワークに登録する前に、シグナリング接続を要求するＲＲＣ要求を送出する必要がある。
【００３７】
一般的に、ネットワークに対する要求は、図４Ａ及び４Ｂに示されるように、許可されるか又は拒否される可能性がある。
【００３８】
図４Ａは、成功するプロシージャを示している。図４Ａの第１のメッセージであるＲＲＣ要求メッセージは、３番目のメッセージなので、一般にｍｓｇ３（メッセージ３の略）とも呼ばれる（ｍｓｇ３を送出するのにリソースを要求するもの（ｍｓｇ１）、及びかかるリソースに対するグラントを受信するもの（ｍｓｇ２）の、ＲＲＣを有さない２つのメッセージがある）。続いて、一般に、ＲＲＣセットアップはｍｓｇ４と呼ばれ、ＲＲＣセットアップ完了はｍｓｇ５と呼ばれる。ｍｓｇ３〜５はまた、たとえば再開プロシージャなど、他のプロシージャでも、ＵＥとネットワークとの間の相互作用を示すのに使用されることに留意されたい。したがって、ｍｓｇ３及びｍｓｇ４〜ｍｓｇ５は、単に特定の順序でメッセージを指すこともある、より汎用的な用語である。
【００３９】
この例のプロシージャの目的は、ＲＲＣ接続を確立することである。ＲＲＣ接続の確立にはＳＲＢ１（シグナリング無線ベアラ１）の確立が関与する。プロシージャは、初期ＮＡＳ専用情報／メッセージをＵＥからネットワークに転送するのにも使用される。
【００４０】
ネットワークは次のようにプロシージャを適用してもよい。
・ＲＲＣ接続を確立するとき、
−ＳＲＢ１を確立する。
・ＵＥが再開し、ネットワークがＵＥコンテキストを検索又は検証できないとき。これは、その場合、ＲＲＣ（接続）要求（略して、ＲＲＣ要求）ではなくＲＲＣ再開要求によって開始される。
【００４１】
ＵＥは、ＵＥがＲＲＣ＿ＩＤＬＥにある間に上位レイヤがＲＲＣ接続の確立を要求すると、プロシージャを開始する。
【００４２】
プロシージャを開始する際、ＵＥは、中でも特に、タイマーを開始させ、ＲＲＣ要求メッセージの送信を開始するものとする。
【００４３】
ＵＥは、ＲＲＣメッセージの内容を次のように設定するものとする。
１＞  ｕｅ−Ｉｄｅｎｔｉｔｙを次のように設定する
２＞  上位レイヤが第５世代システム一時的移動加入者識別情報（５Ｇ−Ｓ−ＴＭＳＩ）を提供する場合
３＞  ｕｅ−Ｉｄｅｎｔｉｔｙを上位レイヤから受信した値に設定する
２＞  或いは、
３＞  特定の範囲の乱数値を取り出す
ＵＥが現在のセルの追跡エリアに登録されている場合、上位レイヤが５Ｇ−Ｓ−ＴＭＳＩを提供する。
１＞  上位レイヤから受信された情報に従ってｅｓｔａｂｌｉｓｈｍｅｎｔＣａｕｓｅを設定する。
【００４４】
ＵＥは、ＲＲＣ要求メッセージを送信のために下位レイヤに対して提示するものとする。
【００４５】
当然ながら、識別子以外にも考慮する態様はあるが、本開示の目的のため、いくつかのステップを省略する。
【００４６】
ネットワークノードによる受信及び許可に成功した場合、ＵＥはＲＲＣセットアップメッセージ（ｍｓｇ４）を受信する。セットアップメッセージに応答して、ｍｓｇ５（完了メッセージ）を送出するものとする。このメッセージで、ＵＥはネットワークに対するＮＡＳメッセージを含んでもよい。
【００４７】
ＲＲＣ要求メッセージの形式及び内容は、ＬＴＥ及びＮＲの両方で類似している。
【００４８】
ＲＲＣ要求メッセージのメッセージサイズは、ＮＲ及びＬＴＥの両方で限定される。特に、ＬＴＥの場合、すでに指定されている以上の情報を収めることは不可能であり、したがって、形式の変更は不可能であろう。したがって、より多くのビットを要する、ＲＲＣ要求における情報量を変更するさらなる提案は困難である。これにより、ＬＴＥが５ＧＣに接続されたときの特定の問題が生じることがあるが、それはこの組合せが、ＬＴＥエアインターフェースとＮＲで提供される新しい情報を追加する必要性との両方によって制約されることがあるためである。ＮＲにおけるＲＲＣ要求メッセージは新しく、現在のところはＬＴＥのような制約を受けていない。
【００４９】
取り上げられている１つの特定の態様は、登録されるとネットワーク上位レイヤ（非アクセス階層）によってＵＥに割り当てられる５Ｇ−Ｓ−ＴＭＳＩコード長さの拡張である。
【００５０】
ＬＴＥの初期のリリースでは、ＬＴＥがＥＰＣのみに接続されたとき、ＩＤは代わりに４０ビット長のＳ−ＴＭＳＩであり、これはＵＥが登録された後のＲＲＣ接続要求メッセージに含まれた。
【００５１】
この４０ビットの制約を有するＬＴＥでは、それ以上に長い識別子フィールドを要求メッセージに含めることは困難となる。
【００５２】
これにより、５ＧＣに接続されるときにＬＴＥのＲＲＣ接続要求プロシージャに含めることが必要になる５Ｇ−Ｓ−ＴＭＳＩが、たとえば４８ビットに拡張された場合に問題がもたらされる。
【００５３】
現在、特定の課題が存在している。上述したように、特に、ＬＴＥのビット制約ｍｓｇ３／ＲＲＣ接続要求メッセージにマッピングされる場合、５Ｇ−Ｓ−ＴＭＳＩなど、拡張された長さの一時的デバイス識別子を使用することの問題がある。たとえば、ＬＴＥでは、含まれる識別子は４０ビットであり、それよりも長いものはＲＲＣ接続要求を含むメッセージ３には収まらない。
【発明の概要】
【００５４】
本開示の特定の態様及びそれらの実施形態は、上述の問題又は他の課題に対する解決策を提供することができる。たとえば、特定の実施形態は、４０ビットよりも長い拡張された５Ｇ−Ｓ−ＴＭＳＩのシグナリングに関する解決策を提供する。本明細書に開示される課題の１つ又は複数に対処する、様々な実施形態が本明細書で提案される。一例として、特定の実施形態では、（５Ｇ−Ｓ−ＴＭＳＩ識別子全体を完全にｍｓｇ３に含める代わりに）５Ｇ−Ｓ−ＴＭＳＩの一部のみがｍｓｇ３に含まれる。５Ｇ−Ｓ−ＴＭＳＩ識別子の残りは、ｍｓｇ３には空きがないことがあるので、代わりにｍｓｇ５に含まれてもよい。本開示は、上位レイヤによって割り当てられ、上位レイヤにとって重要であるが、メッセージ５の受信後までの上位レイヤに向かう通信では使用されない、識別子を認識する。これを５Ｇ−Ｓ−ＴＭＳＩが使用されるＲＲＣ要求プロシージャに変換すると、ＲＲＣ要求完了メッセージの受信後まで上位レイヤに向かう実際の識別子は不要であり、したがって、本明細書に開示されるように、ｍｓｇ３に収まらないものの一部は代わりにメッセージ５に収められてもよい。他の特定の解決策が、特定の例証及び説明を参照して例示的実施形態に関して本明細書に記載されることがある。
【００５５】
一実施形態によれば、方法がワイヤレスデバイスによって実施される。方法は、ネットワークノードに対して、第１のメッセージを送信するためのリソースをワイヤレスデバイスにグラントするようにネットワークノードに要求する要求メッセージを送信することを含む。方法はさらに、ネットワークノードから、第１のメッセージを送信するためのリソースをワイヤレスデバイスにグラントするグラントメッセージを受信することを含む。方法はさらに、グラントメッセージの内容に少なくとも部分的に基づいて、ワイヤレスデバイスの一時的デバイス識別子の長さが、ネットワークノードが第１のメッセージで受信することができる限界を超えているか否かを判定することを含む。一時的デバイス識別子が限界を超えていない場合、方法は、一時的デバイス識別子を含む第１のメッセージをネットワークノードに送信することを含む。一時的デバイス識別子が限界を超えている場合、方法は、一時的デバイス識別子の第１の部分を含む第１のメッセージをネットワークノードに送信することを含む。また、方法は、一時的デバイス識別子の第２の部分を含む第２のメッセージをネットワークノードに送信することを含む。
【００５６】
別の実施形態によれば、ワイヤレスデバイスは、メモリと処理回路とを備える。メモリは命令を記憶するように設定される。処理回路は命令を実行するように設定される。ワイヤレスデバイスは、ネットワークノードに対して、第１のメッセージを送信するためのリソースをワイヤレスデバイスにグラントするようにネットワークノードに要求する要求メッセージを送信するように設定される。ワイヤレスデバイスは、ネットワークノードから、第１のメッセージを送信するためのリソースをワイヤレスデバイスにグラントするグラントメッセージを受信する。ワイヤレスデバイスはさらに、グラントメッセージの内容に少なくとも部分的に基づいて、ワイヤレスデバイスの一時的デバイス識別子の長さが、ネットワークノードが第１のメッセージで受信することができる限界を超えているか否かを判定する。一時的デバイス識別子が限界を超えていない場合、ワイヤレスデバイスは、一時的デバイス識別子を含む第１のメッセージをネットワークノードに送信する。一時的デバイス識別子が限界を超えている場合、ワイヤレスデバイスは、一時的デバイス識別子の第１の部分を含む第１のメッセージをネットワークノードに送信する。ワイヤレスデバイスはまた、一時的デバイス識別子の第２の部分を含む第２のメッセージをネットワークノードに送信する。
【００５７】
さらに別の実施形態によれば、コンピュータプログラム製品は、コンピュータ可読プログラムコードを記憶する非一時的コンピュータ可読媒体を含む。コンピュータ可読プログラムコードは、ネットワークノードに対して、第１のメッセージを送信するためのリソースをワイヤレスデバイスにグラントするようにネットワークノードに要求する要求メッセージを送信するためのプログラムコードを含む。コンピュータ可読プログラムコードはさらに、ネットワークノードから、第１のメッセージを送信するためのリソースをワイヤレスデバイスにグラントするグラントメッセージを受信するためのプログラムコードを含む。コンピュータ可読プログラムコードはさらに、グラントメッセージの内容に少なくとも部分的に基づいて、ワイヤレスデバイスの一時的デバイス識別子の長さが、ネットワークノードが第１のメッセージで受信することができる限界を超えているか否かを判定するためのプログラムコードを含む。コンピュータ可読プログラムコードはさらに、一時的デバイス識別子が限界を超えていない場合、一時的デバイス識別子を含む第１のメッセージをネットワークノードに送信するためのプログラムコードを含む。コンピュータ可読プログラムコードはさらに、一時的デバイス識別子が限界を超えている場合、一時的デバイス識別子の第１の部分を含む第１のメッセージをネットワークノードに送信し、一時的デバイス識別子の第２の部分を含む第２のメッセージをネットワークノードに送信するためのプログラムコードを含む。
【００５８】
方法／ワイヤレスデバイス／コンピュータプログラム製品はさらに、以下の特徴の１つを含むか、どれも含まないか、又は複数を含んでもよい。
【００５９】
特定の実施形態では、第１のメッセージは無線リソース制御（ＲＲＣ）セットアップ要求を含む。
【００６０】
特定の実施形態では、第２のメッセージはＲＲＣセットアップ完了メッセージを含む。
【００６１】
特定の実施形態では、第２のメッセージは、ＲＲＣセットアップメッセージをネットワークノードから受信したことに応答して送信される。
【００６２】
特定の実施形態では、第１のメッセージ及び第２のメッセージを送信する前に、方法／ワイヤレスデバイス／コンピュータプログラム製品は、一時的デバイス識別子を第１の部分及び第２の部分に分割する。
【００６３】
特定の実施形態では、一時的デバイス識別子を第１の部分及び第２の部分に分割することは、一時的デバイス識別子の長さが限界を超えているとの判定に基づく。
【００６４】
特定の実施形態では、方法／ワイヤレスデバイス／コンピュータプログラム製品は、ネットワークノードから受信する情報に少なくとも部分的に基づいて、一時的デバイス識別子のどの部分を第２のメッセージに含めるかを判定する。
【００６５】
特定の実施形態では、一時的デバイス識別子は５Ｇ−Ｓ−ＴＭＳＩである。
【００６６】
一実施形態によれば、方法がワイヤレスデバイスによって実施される。方法は、５Ｇ−Ｓ−ＴＭＳＩの第１の部分を含む第１のメッセージをネットワークノードに送信することを含む。方法はさらに、５Ｇ−Ｓ−ＴＭＳＩの第２の部分を含む第２のメッセージをネットワークノードに送信することを含む。
【００６７】
別の実施形態によれば、ワイヤレスデバイスは、メモリと処理回路とを備える。メモリは命令を記憶するように設定される。処理回路は命令を実行するように設定される。ワイヤレスデバイスは、５Ｇ−Ｓ−ＴＭＳＩの第１の部分を含む第１のメッセージをネットワークノードに送信するように設定される。ワイヤレスデバイスはさらに、５Ｇ−Ｓ−ＴＭＳＩの第２の部分を含む第２のメッセージをネットワークノードに送信するように設定される。
【００６８】
さらに別の実施形態によれば、コンピュータプログラム製品は、コンピュータ可読プログラムコードを記憶する非一時的コンピュータ可読媒体を含む。コンピュータ可読プログラムコードは、５Ｇ−Ｓ−ＴＭＳＩの第１の部分を含む第１のメッセージをネットワークノードに送信するためのプログラムコードを含む。コンピュータ可読プログラムコードはさらに、５Ｇ−Ｓ−ＴＭＳＩの第２の部分を含む第２のメッセージをネットワークノードに送信するためのプログラムコードを含む。
【００６９】
方法／ワイヤレスデバイス／コンピュータプログラム製品はさらに、以下の特徴の１つを含むか、どれも含まないか、又は複数を含んでもよい。
【００７０】
特定の実施形態では、第１のメッセージはＲＲＣ要求を含む。
【００７１】
特定の実施形態では、第２のメッセージはＲＲＣセットアップ完了メッセージを含む。
【００７２】
特定の実施形態では、第２のメッセージは、ＲＲＣセットアップメッセージをネットワークノードから受信したことに応答して送信される。
【００７３】
特定の実施形態では、第１のメッセージ及び第２のメッセージを送信する前に、方法／ワイヤレスデバイス／コンピュータプログラム製品は、ネットワークノードに対して、第１のメッセージを送信するためのリソースをワイヤレスデバイスにグラントするようにネットワークノードに要求する要求メッセージを送信する。方法／ワイヤレスデバイス／コンピュータプログラム製品は、ネットワークノードから、第１のメッセージを送信するためのリソースをワイヤレスデバイスにグラントするグラントメッセージを受信する。
【００７４】
特定の実施形態では、第１のメッセージ及び第２のメッセージを送信する前に、方法／ワイヤレスデバイス／コンピュータプログラム製品は、５Ｇ−Ｓ−ＴＭＳＩを第１の部分及び第２の部分に分割する。
【００７５】
特定の実施形態では、５Ｇ−Ｓ−ＴＭＳＩを第１の部分及び第２の部分に分割することは、５Ｇ−Ｓ−ＴＭＳＩの長さが、ネットワークノードが第１のメッセージで受信することができる限界を超えているとの判定に基づく。
【００７６】
特定の実施形態では、方法／ワイヤレスデバイス／コンピュータプログラム製品は、ネットワークノードから受信する情報に少なくとも部分的に基づいて、５Ｇ−Ｓ−ＴＭＳＩのどの部分を第２のメッセージに含めるかを判定する。
【００７７】
特定の実施形態によれば、方法がネットワークノードによって実施される。方法は、５Ｇ−Ｓ−ＴＭＳＩの第１の部分を含む第１のメッセージをワイヤレスデバイスから受信することを含む。方法はさらに、５Ｇ−Ｓ−ＴＭＳＩの第２の部分を含む第２のメッセージをワイヤレスデバイスから受信することを含む。方法はさらに、ワイヤレスデバイスから受信した５Ｇ−Ｓ−ＴＭＳＩの第１の部分及び５Ｇ−Ｓ−ＴＭＳＩの第２の部分を再アセンブルすることによって、５Ｇ−Ｓ−ＴＭＳＩを取得することを含む。
【００７８】
別の実施形態によれば、ネットワークノードは、メモリと処理回路とを備える。メモリは命令を記憶するように設定される。処理回路は命令を実行するように設定される。ネットワークノードは、５Ｇ−Ｓ−ＴＭＳＩの第１の部分を含む第１のメッセージをワイヤレスデバイスから受信するように設定される。ネットワークノードはさらに、５Ｇ−Ｓ−ＴＭＳＩの第２の部分を含む第２のメッセージをワイヤレスデバイスから受信するように設定される。ネットワークノードはさらに、ワイヤレスデバイスから受信した５Ｇ−Ｓ−ＴＭＳＩの第１の部分及び５Ｇ−Ｓ−ＴＭＳＩの第２の部分を再アセンブルすることによって、５Ｇ−Ｓ−ＴＭＳＩを取得するように設定される。
【００７９】
さらに別の実施形態によれば、コンピュータプログラム製品は、コンピュータ可読プログラムコードを記憶する非一時的コンピュータ可読媒体を含む。コンピュータ可読プログラムコードは、５Ｇ−Ｓ−ＴＭＳＩの第１の部分を含む第１のメッセージをワイヤレスデバイスから受信するためのプログラムコードを含む。コンピュータ可読プログラムコードはさらに、５Ｇ−Ｓ−ＴＭＳＩの第２の部分を含む第２のメッセージをワイヤレスデバイスから受信するためのプログラムコードを含む。コンピュータ可読プログラムコードはさらに、ワイヤレスデバイスから受信した５Ｇ−Ｓ−ＴＭＳＩの第１の部分及び５Ｇ−Ｓ−ＴＭＳＩの第２の部分を再アセンブルすることによって、５Ｇ−Ｓ−ＴＭＳＩを取得するためのプログラムコードを含む。
【００８０】
方法／ネットワークノード／コンピュータプログラム製品はさらに、以下の特徴の１つを含むか、どれも含まないか、又は複数を含んでもよい。
【００８１】
特定の実施形態では、取得した５Ｇ−Ｓ−ＴＭＳＩのサイズは、ネットワークノードが第１のメッセージで受信することができる限界を超えている。
【００８２】
特定の実施形態では、第１のメッセージは無線リソース制御（ＲＲＣ）要求を含む。
【００８３】
特定の実施形態では、第２のメッセージはＲＲＣセットアップ完了メッセージを含む。
【００８４】
特定の実施形態では、方法／ネットワークノード／コンピュータプログラム製品は、第１のメッセージの受信に応答して、ＲＲＣセットアップメッセージをワイヤレスデバイスに送信する。
【００８５】
特定の実施形態では、第１のメッセージ及び第２のメッセージを受信する前に、方法／ネットワークノード／コンピュータプログラム製品は、ワイヤレスデバイスから、第１のメッセージを送信するためのリソースをワイヤレスデバイスにグラントするようにネットワークノードに要求する要求メッセージを受信する。方法／ネットワークノード／コンピュータプログラム製品は、ワイヤレスデバイスに、第１のメッセージを送信するためのリソースをワイヤレスデバイスにグラントするグラントメッセージを送信する。
【００８６】
特定の実施形態では、方法／ネットワークノード／コンピュータプログラム製品は、ワイヤレスデバイスに、５Ｇ−Ｓ−ＴＭＳＩのどのビットを第１の部分又は第２の部分に含めるかを示す情報を送信する。
【００８７】
特定の実施形態では、方法／ネットワークノード／コンピュータプログラム製品は、ワイヤレスデバイスに、ネットワークノードが第１のメッセージで受信することができる５Ｇ−Ｓ−ＴＭＳＩの第１の部分の長さを示すインジケータを送信する。
【００８８】
特定の実施形態では、方法／ネットワークノード／コンピュータプログラム製品は、５Ｇ−Ｓ−ＴＭＳＩを使用して、後続のメッセージでワイヤレスデバイスを識別する。
【００８９】
本開示の特定の実施形態は、１つ又は複数の技術的利点を提供することができる。たとえば、特定の実施形態によって、ワイヤレスデバイスが、５Ｇ−Ｓ−ＴＭＳＩの第１の部分を第１のメッセージ（たとえば、ｍｓｇ３）で、５Ｇ−Ｓ−ＴＭＳＩの第２の部分を第２のメッセージ（たとえば、ｍｓｇ５又はその後の送信）で送信することが可能になる。これにより、ワイヤレスデバイスが、識別子の一部分を先のメッセージで送信しながら、より長い５Ｇ−Ｓ−ＴＭＳＩを使用してワイヤレスデバイスを識別することができるようになり得る。別の例として、特定の実施形態は、識別子のサイズに基づいて、１つのメッセージで、又は２つのメッセージに分割して、識別子を適応的に送出するワイヤレスデバイスを提供する（たとえば、識別子が、ネットワークノードが第１のメッセージで受信することができる限界を超えている場合、第１のメッセージ及び第２のメッセージに分割してもよい）。さらに別の例として、ネットワークノードは、識別子の２つの部分を受信し、識別子の部分を再アセンブルすることによって完全な識別子を取得してもよい。このように、ワイヤレスデバイス及びネットワークノードは、上述の様々な問題の１つ又は複数に対処する、新無線に有用なより長い長さの識別子を実現してもよい。
【００９０】
特定の実施形態は、上記に列挙した利点を１つも有さないか、そのいくつか、又はすべてを有してもよい。他の利点は当業者には容易に明白となり得る。
【００９１】
開示される実施形態並びにそれらの特徴及び利点をさらに完全に理解するため、以下、添付図面と併せて以下の説明を参照する。
【図面の簡単な説明】
【００９２】
【図１】特定の実施形態による、５Ｇシステムアーキテクチャの一例を示す図である。
【図２Ａ】特定の実施形態による、ユーザ機器の状態移行の状態を示す図である。
【図２Ｂ】特定の実施形態による、ユーザ機器の状態移行の状態を示す図である。
【図３】特定の実施形態による、ユーザ機器の状態の移行に関する状態モデルを示す図である。
【図４Ａ】特定の実施形態による、ＲＲＣ要求メッセージに応答するユーザ機器とネットワークとの間のシグナリング図である。
【図４Ｂ】特定の実施形態による、ＲＲＣ要求メッセージに応答するユーザ機器とネットワークとの間のシグナリング図である。
【図５】特定の実施形態による、５Ｇ可能ワイヤレスネットワークの一例を示す図である。
【図６】特定の実施形態による、一時的識別子を送信する方法の一例を示す図である。
【図７】特定の実施形態による、一時的識別子を送信する方法の別の例を示す図である。
【図８】特定の実施形態によるワイヤレスネットワークの一例を示す図である。
【図９】特定の実施形態によるユーザ機器の一例を示す図である。
【図１０】いくつかの実施形態による仮想化環境の一例を示す図である。
【図１１】特定の実施形態による、ホストコンピュータに中間ネットワークを介して接続された一例の通信ネットワークを示す図である。
【図１２】特定の実施形態による、部分的にワイヤレスな接続を介してユーザ機器と基地局を介して通信する一例のホストコンピュータを示す図である。
【図１３】特定の実施形態による、通信システムにおいて実装される一例の方法を示すフローチャートである。
【図１４】特定の実施形態による、通信システムにおいて実装される第２の一例の方法を示すフローチャートである。
【図１５】特定の実施形態による、通信システムにおいて実装される第３の方法を示すフローチャートである。
【図１６】特定の実施形態による、通信システムにおいて実装される第４の方法を示すフローチャートである。
【図１７】特定の実施形態による、ワイヤレスデバイスによって実施される一例の方法を示す図である。
【図１８】特定の実施形態による、ワイヤレスネットワークにおける第１の一例の装置を示す概略的ブロック図である。
【図１９】特定の実施形態による、ワイヤレスデバイスによって実施される第２の一例の方法を示す図である。
【図２０】特定の実施形態による、ワイヤレスデバイスによって実施される第３の一例の方法を示す図である。
【図２１】特定の実施形態による、ネットワークノードによって実施される方法の一例を示す図である。
【発明を実施するための形態】
【００９３】
ここで、本明細書で意図された実施形態のうちのいくつかを、添付の図面を参照して、より完全に説明する。しかしながら、他の実施形態が、本明細書で開示される主題の範囲内に含まれ、開示される主題は、本明細書に記載の実施形態のみに限定されるものとして解釈されるべきではなく、これらの実施形態は、当業者に本主題の範囲を伝えるための例として提供される。追加の情報が、付表において提供される文献に見出されることもある。
【００９４】
図５は、ｎｇ−ｅＮＢ及びｇＮＢという２つのノードがそれぞれサーブする、第１のセル及び第２のセルという２つの異なるセルを示している。両方のノードが５ＧＣ−５Ｇシステムに接続されてもよい。ｎｇ−ｅＮＢノードはＬＴＥエアインターフェースを通してアクセスを提供してもよく、ｇＮＢノードはＮＲエアインターフェースを通してアクセスを提供してもよい。第１のセル及び第２のセルで使用される無線スペクトルは同じであっても又は異なってもよい。さらに、スペクトル帯は同じであっても又は異なってもよい。たとえば、第１のセルは、２ＧＨｚスペクトルレジームの帯域を利用してもよく、第２のセルは、３．５、５、６、２８、６０ＧＨｚ帯など、他の帯域のスペクトルを通してアクセスを提供してもよい。
【００９５】
ワイヤレスデバイス（ＵＥ）は、図５では、第１のセルから第２のセルへと移動するものとして示されている。ＵＥがどの状態であるかに応じて、ＵＥが第１のセルに入ったときに異なることが起こる。本開示は、ＵＥに５Ｇ−Ｓ−ＴＭＳＩが割り当てられるときの特定の状態について記載する。
【００９６】
ｇＮＢを介したアクセス（ＮＲ）又はｎｇ−ｅＮＢを介したアクセス（ＬＴＥ）のどちらによってかに関わらず、ＵＥが最初のＲＲＣ接続要求の実施に成功しており、５Ｇシステムに登録するように管理されているとき、５Ｇ−Ｓ−ＴＭＳＩが割り当てられる。
【００９７】
この５Ｇ−Ｓ−ＴＭＳＩは、ネットワークと通信するときにＵＥを識別するのに使用されることが意図される。
【００９８】
特定の実施形態では、ｎｇ−ｅＮＢを通してアクセスする場合に可能なのは４０ビットの識別子のみである。ＵＥに割り当てられた５Ｇ−Ｓ−ＴＭＳＩが４０ビットよりも大きい場合、ＵＥは、特定の実施形態によれば、以下のことを行ってもよい。
【００９９】
ＵＥは、ｎｇ−ｅＮＢにアクセスする初期メッセージにおける５Ｇ−Ｓ−ＴＭＳＩの部分を含んでもよく、ＲＲＣ接続要求メッセージはＵＥからｎｇ−ｅＮＢに送出される。たとえば、ＲＲＣ接続要求は、識別子に対して許容されるビット数の限界と同じ４０ビットの識別子を含んでもよい。いくつかの実施形態では、正確なビット数はビット数の限界よりも少なくてもよい。いくつかの実施形態では、含まれる正確なビットはＵＥとネットワークノードとの間で合意されてもよく、又は５Ｇ−Ｓ−ＴＭＳＩの分割が特定の方法を使用して、たとえば、最上位ビット若しくは最下位ビットをｍｓｇ３に含めることによって、行われることが標準化されてもよい。
【０１００】
ＵＥは次に、メッセージ４でセットアップメッセージを受信した後にＵＥからネットワークに送信される、後続のメッセージ５に残りのビットを含めてもよい。
【０１０１】
図６は、ユーザ機器によるプロシージャの一例を示している。ステップＳ６１０で、識別子（この例では、５Ｇ−Ｓ−ＴＭＳＩ）が限界よりも大きいかどうか、たとえば５ＧＣに接続されたＬＴＥにおいて、ＲＲＣ接続要求メッセージを送出する前にＵＥでチェックが行われる。５Ｇ−Ｓ−ＴＭＳＩが限界よりも大きい場合、より小さい部分に分割しなければならない（Ｓ６２０）。たとえば、５Ｇ−Ｓ−ＴＭＳＩは２つの部分に分割されてもよい。次のステップで、ＵＥは、１つはｍｓｇ３で、１つはｍｓｇ５で、２つの部分を送信する（Ｓ６２５）。いくつかの実施形態では、ｍｓｇ３は要求メッセージ（たとえば、ＲＲＣ接続要求）に対応してもよく、ｍｓｇ５は完了メッセージ（たとえば、ＲＲＣセットアップ完了）に対応してもよい。ステップ６１０で、識別子（たとえば、５Ｇ−Ｓ−ＴＭＳＩ）が限界よりも大きくないと判定された場合、方法はステップ６３０に進み、完全な識別子がｍｓｇ３で送信される。
【０１０２】
分割された識別子の場合、これに関する指示もｍｓｇ５に挿入されてもよい（選択肢がある場合）。或いは、要求メッセージが、分割された識別子であることの指示を含んでもよい。
【０１０３】
ネットワークノードにおいて、５Ｇ−Ｓ−ＴＭＳＩは再アセンブルされてもよく、特定のＵＥからの通信を識別するのに、ネットワークに対する通信に用いられ／含まれてもよい。
【０１０４】
本開示の別の態様によれば、図７に示されるように、ＵＥは代わりに、ＲＲＣ接続要求、セットアップ、及び完了のプロシージャを実施するとき、ネットワークによってメッセージ５に、上位レイヤから受信した完全な識別子を含めることを選択してもよい。
【０１０５】
本開示の別の実施形態によれば、５Ｇ−Ｓ−ＴＭＳＩのサイズが大きすぎると判定された場合（Ｓ７１０）、完全な５Ｇ−Ｓ−ＴＭＳＩは、メッセージ３の代わりにメッセージ５に含まれてもよい。かかる状況では、識別子をメッセージ４で返して、適正なＵＥとのハンドシェークが確実に行われるようにする目的で、別の識別子をメッセージ３に含めることが必要である。この他の識別子は、５Ｇ−Ｓ−ＴＭＳＩの登録及び受信の前に、乱数値に指定される（Ｓ７２０）。本開示の一態様は、したがって、ＵＥが登録されておらず５Ｇ−Ｓ−ＴＭＳＩを受信していないときだけでなく、すでに５Ｇ−Ｓ−ＴＭＳＩを有している状況でも、乱数値の方策を使用するものである。したがって、特定の実施形態では、乱数値がｍｓｇ３で送信され（Ｓ７２０）、完全な識別子がｍｓｇ５で送信され（Ｓ７２５）てもよい。他の方法と同様に、Ｓ７１０で識別子のサイズが限界よりも小さい場合、完全な識別子がｍｓｇ３で送信されてもよい（Ｓ７３０）。
【０１０６】
図６〜７に示されるように、特定の実施形態によって、特定のメッセージで識別子を送出するというビット制約がある場合であっても、ＵＥが大きい上位レイヤ識別子を管理することが可能になる（たとえば、ＬＴＥのＲＲＣ接続要求メッセージのようなビット制約メッセージ３が、大きい上位レイヤ識別子を管理することができる）。したがって、特定の実施形態の技術的利点によって、５ＧＳ及び５Ｇコアネットワークに接続されたＮＲ及びＬＴＥの両方が、たとえば４８ビットの、より長い５Ｇ−Ｓ−ＴＭＳＩを管理することが可能になる。
【０１０７】
本明細書に記載の主題は、任意の適切な構成要素を使用する任意の適切なタイプのシステムにおいて実装され得るが、本明細書で開示される実施形態は、図８に示された例示的ワイヤレスネットワークなど、ワイヤレスネットワークに関連して説明される。簡単にするために、図８のワイヤレスネットワークは、ネットワーク１０６、ネットワークノード１６０及び１６０ｂ、並びにＷＤ１１０、１１０ｂ、及び１１０ｃのみを示す。実際には、ワイヤレスネットワークは、ワイヤレスデバイス間の通信或いはワイヤレスデバイスと固定電話、サービスプロバイダ、又は任意の他のネットワークノード若しくはエンドデバイスなどの別の通信デバイスとの間の通信をサポートするのに適した任意の付加的要素をさらに含み得る。図示された構成要素について、ネットワークノード１６０及びワイヤレスデバイス（ＷＤ）１１０は、さらに詳しく描かれている。ワイヤレスネットワークは、ワイヤレスネットワークによって又はこれを介して提供されるサービスへのワイヤレスデバイスのアクセス及び／又はそのようなサービスのワイヤレスデバイスの使用を円滑にするために、通信及び他のタイプのサービスを１つ又は複数のワイヤレスデバイスに提供し得る。
【０１０８】
ワイヤレスネットワークは、任意のタイプの通信、電気通信、データ、セルラ、及び／又は無線ネットワーク又は他の類似のタイプのシステムを備える、及び／又はそれらとインターフェースすることができる。一部の実施形態では、ワイヤレスネットワークは、特定の標準又は他のタイプの予め規定されたルール又はプロシージャに従って動作するように設定され得る。したがって、ワイヤレスネットワークの特定の実施形態は、グローバルシステムフォーモバイルコミュニケーションズ（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）、ユニバーサルモバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ロングタームエボリューション（ＬＴＥ：Ｌｏｎｇ  Ｔｅｒｍ  Ｅｖｏｌｕｔｉｏｎ）及び／又は他の適切な２Ｇ、３Ｇ、４Ｇ、又は５Ｇ標準などの通信標準、ＩＥＥＥ８０２．１１標準などのワイヤレスローカルエリアネットワーク（ＷＬＡＮ：ｗｉｒｅｌｅｓｓ  ｌｏｃａｌ  ａｒｅａ  ｎｅｔｗｏｒｋ）標準、並びに／或いは、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ブルートゥース、Ｚ−Ｗａｖｅ及び／又はＺｉｇＢｅｅ標準などの任意の他の適切なワイヤレス通信標準を実装し得る。
【０１０９】
ネットワーク１０６は、１つ又は複数のバックホールネットワーク、コアネットワーク、ＩＰネットワーク、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、パケットデータネットワーク、光ネットワーク、ワイドエリアネットワーク（ＷＡＮ）、ローカルエリアネットワーク（ＬＡＮ）、ワイヤレスローカルエリアネットワーク（ＷＬＡＮ）、ワイヤードネットワーク、ワイヤレスネットワーク、メトロポリタンエリアネットワーク、及び、デバイス間の通信を可能にするための他のネットワークを備え得る。
【０１１０】
ネットワークノード１６０及びＷＤ１１０は、さらに詳しく後述される様々な構成要素を備える。これらの構成要素は、ワイヤレスネットワークにおいてワイヤレス接続を提供することなど、ネットワークノード及び／又はワイヤレスデバイス機能性を提供するために連携する。異なる実施形態において、ワイヤレスネットワークは、任意の数のワイヤード又はワイヤレスネットワーク、ネットワークノード、基地局、コントローラ、ワイヤレスデバイス、リレー局、並びに／或いは、ワイヤード接続又はワイヤレス接続のいずれを介してでもデータ及び／又は信号の通信を円滑にする又はこれに参加する任意の他の構成要素又はシステムを備え得る。
【０１１１】
本明細書では、ネットワークノードは、ワイヤレスデバイスへのワイヤレスアクセスを可能にする及び／又は提供するためにワイヤレスデバイスと及び／又はワイヤレスネットワーク内の他のネットワークノード又は機器と直接的又は間接的に通信する並びに／或いはワイヤレスネットワークにおいて他の機能（たとえば、管理）を実行する能力を有する、そのように設定された、配置された及び／又は動作可能な機器を指す。ネットワークノードの例は、アクセスポイント（ＡＰ）（たとえば、無線アクセスポイント）、基地局（ＢＳ）（たとえば、無線基地局、ノードＢ、発展型ノードＢ（ｅＮＢ）及びＮＲ  ＮｏｄｅＢ（ｇＮＢ））を含むが、これらに限定されない。基地局は、それらが提供するカバレッジの量（又は、つまり、それらの送信電力レベル）に基づいて分類することができ、その場合、フェムト基地局、ピコ基地局、マイクロ基地局、又はマクロ基地局と呼ばれることもある。基地局は、リレーノード又はリレーを制御するリレードナーノードでもよい。ネットワークノードはまた、集中型デジタルユニット及び／又はリモート無線ユニット（ＲＲＵ）、リモート無線ヘッド（ＲＲＨ）と時に称される、などの分散型無線基地局の１つ又は複数の（又はすべての）部分を含み得る。そのようなリモート無線ユニットは、アンテナ統合無線のようにアンテナと統合されても統合されなくてもよい。分散型無線基地局の部分は、分散型アンテナシステム（ＤＡＳ：ｄｉｓｔｒｉｂｕｔｅｄ  ａｎｔｅｎｎａ  ｓｙｓｔｅｍ）内のノードと呼ばれることもある。ネットワークノードのさらなる例は、ＭＳＲ  ＢＳなどのマルチスタンダード無線（ＭＳＲ：ｍｕｌｔｉ−ｓｔａｎｄａｒｄ  ｒａｄｉｏ）機器、無線ネットワークコントローラ（ＲＮＣ：ｒａｄｉｏ  ｎｅｔｗｏｒｋ  ｃｏｎｔｒｏｌｌｅｒ）又は基地局コントローラ（ＢＳＣ：ｂａｓｅ  ｓｔａｔｉｏｎ  ｃｏｎｔｒｏｌｌｅｒ）などのネットワークコントローラ、基地局トランシーバ（ＢＴＳ：ｂａｓｅ  ｔｒａｎｓｃｅｉｖｅｒ  ｓｔａｔｉｏｎ）、送信ポイント、送信ノード、マルチセル／マルチキャストコーディネーションエンティティ（ＭＣＥ：ｍｕｌｔｉ−ｃｅｌｌ／ｍｕｌｔｉｃａｓｔ  ｃｏｏｒｄｉｎａｔｉｏｎ  ｅｎｔｉｔｙ）、コアネットワークノード（たとえば、ＭＳＣ、ＭＭＥ）、Ｏ＆Ｍノード、ＯＳＳノード、ＳＯＮノード、ポジショニングノード（たとえば、Ｅ−ＳＭＬＣ）、及び／又はＭＤＴを含む。別の例として、ネットワークノードは、さらに詳しく後述するような仮想ネットワークノードでもよい。しかしながら、より一般的には、ネットワークノードは、ワイヤレスネットワークへのアクセスをワイヤレスデバイスに可能にする及び／又は提供するための或いはワイヤレスネットワークにアクセスしたワイヤレスデバイスに何らかのサービスを提供するための能力を有する、そのように設定された、配置された、及び／又は動作可能な任意の適切なデバイス（又はデバイスのグループ）を表し得る。
【０１１２】
図８において、ネットワークノード１６０は、処理回路１７０、デバイス可読媒体１８０、インターフェース１９０、補助機器１８４、電源１８６、電力回路１８７、及びアンテナ１６２を含む。図８の例示的ワイヤレスネットワークに示されたネットワークノード１６０は、ハードウェア構成要素の図示された組合せを含むデバイスを表し得るが、他の実施形態は、構成要素の異なる組合せを有するネットワークノードを備え得る。タスク、特徴、機能及び本明細書で開示される方法を実行するために必要とされるハードウェア及び／又はソフトウェアの任意の適切な組合せをネットワークノードは備えることが、理解されよう。さらに、ネットワークノード１６０の構成要素は、より大きなボックス内に位置する又は複数のボックス内にネストされた単一ボックスとして図示されているが、実際には、ネットワークノードは、単一の図示された構成要素を構成する複数の異なる物理構成要素を備え得る（たとえば、デバイス可読媒体１８０は、複数の別個のハードドライブ並びに複数のＲＡＭモジュールを備え得る）。
【０１１３】
同様に、ネットワークノード１６０は、独自のそれぞれの構成要素をそれぞれが有し得る複数の物理的に別個の構成要素（たとえば、ＮｏｄｅＢ構成要素及びＲＮＣ構成要素、又はＢＴＳ構成要素及びＢＳＣ構成要素など）で構成され得る。ネットワークノード１６０が複数の別個の構成要素（たとえば、ＢＴＳ及びＢＳＣ構成要素）を備えるある種のシナリオでは、別個の構成要素のうちの１つ又は複数は、いくつかのネットワークノードの間で共用され得る。たとえば、単一ＲＮＣは、複数のＮｏｄｅＢを制御し得る。そのようなシナリオでは、各固有のＮｏｄｅＢ及びＲＮＣペアは、場合によっては、単一の別個のネットワークノードと考えられ得る。一部の実施形態では、ネットワークノード１６０は、複数の無線アクセス技術（ＲＡＴ）をサポートするように設定され得る。そのような実施形態では、いくつかの構成要素は、二重にされ得（たとえば、異なるＲＡＴのための別個のデバイス可読媒体１８０）、いくつかの構成要素は再使用され得る（たとえば、同じアンテナ１６２がＲＡＴによって共用され得る）。ネットワークノード１６０はまた、たとえば、ＧＳＭ、ＷＣＤＭＡ、ＬＴＥ、ＮＲ、ＷｉＦｉ、又はブルートゥースワイヤレス技術など、ネットワークノード１６０に統合された異なるワイヤレス技術のための様々な図示された構成要素の複数のセットを含み得る。これらのワイヤレス技術は、ネットワークノード１６０内の同じ又は異なるチップ又はチップのセット及び他の構成要素内に統合され得る。
【０１１４】
処理回路１７０は、ネットワークノードによって提供されているものとして本明細書に記載された任意の判定、計算又は類似の動作（たとえば、ある種の取得動作）を実行するように設定される。処理回路１７０によって実行されるこれらの動作は、たとえば、取得された情報を他の情報に変換すること、取得された情報又は変換された情報をネットワークノードに記憶された情報と比較すること、及び／又は取得された情報又は変換された情報に基づいて１つ又は複数の動作を実行することによって、処理回路１７０によって取得された情報を処理すること、並びに前記処理の結果として判定を行うことを含み得る。
【０１１５】
処理回路１７０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、資源、或いは、単独で又はデバイス可読媒体１８０などの他のネットワークノード１６０構成要素と併せて、ネットワークノード１６０機能を提供するように動作可能なハードウェア、ソフトウェア及び／又は符号化されたロジックの組合せを備え得る。たとえば、処理回路１７０は、デバイス可読媒体１８０に又は処理回路１７０内のメモリに記憶された命令を実行し得る。そのような機能性は、本明細書で論じられる様々なワイヤレス特徴、機能、又は利益のいずれかの提供を含み得る。一部の実施形態では、処理回路１７０は、システムオンチップ（ＳＯＣ）を含み得る。
【０１１６】
一部の実施形態では、処理回路１７０は、無線周波数（ＲＦ）トランシーバ回路１７２及びベースバンド処理回路１７４のうちの１つ又は複数を含み得る。一部の実施形態では、無線周波数（ＲＦ）トランシーバ回路１７２及びベースバンド処理回路１７４は、別個のチップ（又はチップのセット）、ボード、又は、無線ユニット及びデジタルユニットなどのユニット上でもよい。代替実施形態において、ＲＦトランシーバ回路１７２及びベースバンド処理回路１７４の一部又はすべては、同じチップ又はチップのセット、ボード、又はユニット上でもよい。
【０１１７】
ある種の実施形態では、ネットワークノード、基地局、ｅＮＢ又は他のそのようなネットワークデバイスによって提供されているものとしての本明細書に記載の機能性の一部又はすべては、デバイス可読媒体１８０又は処理回路１７０内のメモリに記憶された命令を実行する処理回路１７０によって実行され得る。代替実施形態において、機能性のうちの一部又はすべては、ハードワイヤード方式などで、別個の又はディスクリートデバイスの可読媒体に記憶された命令を実行することなしに処理回路１７０によって提供され得る。それらの実施形態のいずれにおいてでも、デバイス可読記憶媒体に記憶された命令を実行してもしなくても、処理回路１７０は、記載された機能を実行するように設定することができる。そのような機能によってもたらされる利益は、単独で処理回路１７０に又はネットワークノード１６０の他の構成要素に制限されないが、ネットワークノード１６０全体によって、並びに／或いは一般にエンドユーザ及びワイヤレスネットワークによって享受される。
【０１１８】
デバイス可読媒体１８０は、処理回路１７０によって使用され得る情報、データ、及び／又は命令を記憶する永続記憶装置、ソリッドステートメモリ、リモートに搭載されたメモリ、磁気媒体、光媒体、ランダムアクセスメモリ（ＲＡＭ）、読取り専用メモリ（ＲＯＭ）、大容量記憶媒体（たとえば、ハードディスク）、取り外し可能記憶媒体（たとえば、フラッシュドライブ、コンパクトディスク（ＣＤ）又はデジタル多用途ディスク（ＤＶＤ））、及び／又は任意の他の揮発性又は不揮発性の、非一時的デバイス可読及び／又はコンピュータ実行可能なメモリデバイスを含むがこれらに限定されない、任意の形の揮発性又は不揮発性コンピュータ可読メモリを備え得る。デバイス可読媒体１８０は、コンピュータプログラム、ソフトウェア、ロジック、ルール、コード、テーブルなどのうちの１つ又は複数を含むアプリケーション、及び／又は処理回路１７０によって実行することができる及びネットワークノード１６０によって使用することができる他の命令を含む、任意の適切な命令、データ又は情報を記憶し得る。デバイス可読媒体１８０は、処理回路１７０によって行われる任意の計算及び／又はインターフェース１９０を介して受信される任意のデータを記憶するために使用され得る。一部の実施形態では、処理回路１７０及びデバイス可読媒体１８０は、統合されると考えられ得る。
【０１１９】
インターフェース１９０は、ネットワークノード１６０、ネットワーク１０６、及び／又はＷＤ１１０の間のシグナリング及び／又はデータのワイヤード又はワイヤレス通信において使用される。図示されているように、インターフェース１９０は、たとえば、ワイヤード接続を介してネットワーク１０６に及びネットワーク１０６から、データを送信及び受信するために、ポート／端末１９４を備える。インターフェース１９０はまた、アンテナ１６２に連結され得る又はある種の実施形態においてアンテナ１６２の一部であることがある、無線フロントエンド回路１９２を含む。無線フロントエンド回路１９２は、フィルタ１９８及び増幅器１９６を備える。無線フロントエンド回路１９２は、アンテナ１６２及び処理回路１７０に接続され得る。無線フロントエンド回路は、アンテナ１６２と処理回路１７０との間で通信される信号を調整するように設定され得る。無線フロントエンド回路１９２は、ワイヤレス接続を介して他のネットワークノード又はＷＤに送出されることになるデジタルデータを受信し得る。無線フロントエンド回路１９２は、フィルタ１９８及び／又は増幅器１９６の組合せを使用する適切なチャネル及び帯域幅パラメータを有する無線信号にデジタルデータを変換し得る。無線信号は、次いで、アンテナ１６２を介して送信され得る。同様に、データを受信するとき、アンテナ１６２は、次いで無線フロントエンド回路１９２によってデジタルデータに変換される無線信号を収集し得る。デジタルデータは、処理回路１７０に渡され得る。他の実施形態において、インターフェースは、異なる構成要素及び／又は異なる組合せの構成要素を備え得る。
【０１２０】
ある種の代替実施形態において、ネットワークノード１６０は、別個の無線フロントエンド回路１９２を含まないことがあり、代わりに、処理回路１７０が、無線フロントエンド回路を備え得、別個の無線フロントエンド回路１９２なしにアンテナ１６２に接続され得る。同様に、一部の実施形態では、すべての又は一部のＲＦトランシーバ回路１７２は、インターフェース１９０の一部と考えられ得る。さらに他の実施形態において、インターフェース１９０は、１つ又は複数のポート又は端末１９４、無線フロントエンド回路１９２、並びにＲＦトランシーバ回路１７２、無線ユニット（図示せず）の一部としての、を含み得、そして、インターフェース１９０は、デジタルユニット（図示せず）の一部であるベースバンド処理回路１７４と通信し得る。
【０１２１】
アンテナ１６２は、ワイヤレス信号を送信及び／又は受信するように設定された、１つ又は複数のアンテナ、又はアンテナアレイを含み得る。アンテナ１６２は、無線フロントエンド回路１９０に結合され得、ワイヤレスにデータ及び／又は信号を送信及び受信する能力を有する任意のタイプのアンテナでもよい。一部の実施形態では、アンテナ１６２は、たとえば、２ＧＨｚと６６ＧＨｚとの間で、無線信号を送信／受信するように動作可能な１つ又は複数の全方向性の、セクタ又はパネルアンテナを備え得る。全方向性アンテナは、任意の方向において無線信号を送信／受信するために使用され得、セクタアンテナは、特定のエリア内のデバイスから無線信号を送信／受信するために使用され得、そして、パネルアンテナは、相対的に直線で無線信号を送信／受信するために使用されるサイトアンテナのラインでもよい。場合によっては、複数のアンテナの使用は、ＭＩＭＯと称され得る。ある種の実施形態では、アンテナ１６２は、ネットワークノード１６０とは別個でもよく、インターフェース又はポートを介してネットワークノード１６０に接続可能になり得る。
【０１２２】
アンテナ１６２、インターフェース１９０、及び／又は処理回路１７０は、ネットワークノードによって実行されるものとして本明細書に記載された任意の受信動作及び／又はある種の取得動作を実行するように設定され得る。任意の情報、データ及び／又は信号が、ワイヤレスデバイス、別のネットワークノード及び／又は任意の他のネットワーク機器から受信され得る。同様に、アンテナ１６２、インターフェース１９０、及び／又は処理回路１７０は、ネットワークノードによって実行されるものとして本明細書に記載された任意の送信動作を実行するように設定され得る。任意の情報、データ及び／又は信号が、ワイヤレスデバイス、別のネットワークノード及び／又は任意の他のネットワーク機器に送信され得る。
【０１２３】
電力回路１８７は、電力管理回路を備え得る、又はこれに連結され得、本明細書に記載の機能性を実行するための電力をネットワークノード１６０の構成要素に供給するように設定される。電力回路１８７は、電源１８６から電力を受信し得る。電源１８６及び／又は電力回路１８７は、それぞれの構成要素に適した形でネットワークノード１６０の様々な構成要素に電力を提供する（たとえば、それぞれの構成要素のために必要とされる電圧及び電流レベルで）ように設定され得る。電源１８６は、電力回路１８７及び／又はネットワークノード１６０に含まれても、これらの外部でもよい。たとえば、ネットワークノード１６０は、電気ケーブルなどの入力回路又はインターフェースを介して外部電源（たとえば、電気コンセント）に接続可能になり得、それにより、外部電源が電力回路１８７に電力を供給する。さらなる例として、電源１８６は、電力回路１８７に接続された又はこれに統合された、バッテリ又はバッテリパックの形で電力のソースを備え得る。バッテリは、外部電源が切れた場合に非常用電源を提供し得る。光電池デバイスなどの他のタイプの電源もまた使用され得る。
【０１２４】
ネットワークノード１６０の代替実施形態は、本明細書に記載の機能性及び／又は本明細書に記載の主題をサポートするために必要な任意の機能性のうちのいずれかを含む、ネットワークノードの機能性のある種の態様を提供する責任を負い得る図８に示されたものを超える追加の構成要素を含み得る。たとえば、ネットワークノード１６０は、ネットワークノード１６０への情報の入力を可能にするために、及びネットワークノード１６０からの情報の出力を可能にするために、ユーザインターフェース機器を含み得る。これは、ネットワークノード１６０のための診断、メンテナンス、修理、及び他の管理機能をユーザが実行することを可能にし得る。
【０１２５】
本明細書では、ワイヤレスデバイス（ＷＤ）は、ネットワークノード及び／又は他のワイヤレスデバイスとワイヤレスに通信する能力を有する、そのように設定された、配置された及び／又は動作可能なデバイスを指す。特に断りのない限り、ＷＤという用語は、ユーザ機器（ＵＥ）と同義で本明細書において使用され得る。ワイヤレスに通信することは、電磁波、無線波、赤外線波、及び／又は電波を介して情報を伝えるのに適した他のタイプの信号を使用してワイヤレス信号を送信／受信することを含み得る。一部の実施形態では、ＷＤは、直接の人間の相互作用なしに情報を送信及び／又は受信するように設定され得る。たとえば、ＷＤは、内部又は外部イベントによってトリガされたとき、又はネットワークからの要求に応答して、所定のスケジュールでネットワークに情報を送信するように設計され得る。ＷＤの例は、スマートフォン、携帯電話、セルフォン、ボイスオーバーＩＰ（ＶｏＩＰ）フォン、ワイヤレスローカルループフォン、デスクトップコンピュータ、携帯情報端末（ＰＤＡ）、ワイヤレスカメラ、ゲーム機又はデバイス、音楽記憶デバイス、再生装置、ウェアラブル端末デバイス、ワイヤレスエンドポイント、モバイル局、タブレット、ラップトップ、ラップトップ埋め込み機器（ＬＥＥ）、ラップトップ搭載機器（ＬＭＥ）、スマートデバイス、ワイヤレス顧客構内機器（ＣＰＥ）。車両搭載ワイヤレス端末デバイスなどを含むが、これらに限定されない。ＷＤは、たとえば、サイドリンク通信、車両対車両（Ｖ２Ｖ：ｖｅｈｉｃｌｅ−ｔｏ−ｖｅｈｉｃｌｅ）、車両対インフラストラクチャ（Ｖ２Ｉ：ｖｅｈｉｃｌｅ−ｔｏ−ｉｎｆｒａｓｔｒｕｃｔｕｒｅ）、車両対あらゆる物（Ｖ２Ｘ：ｖｅｈｉｃｌｅ−ｔｏ−ｅｖｅｒｙｔｈｉｎｇ）の３ＧＰＰ標準を実装することによって、デバイス対デバイス（Ｄ２Ｄ）通信をサポートすることができ、この場合、Ｄ２Ｄ通信デバイスと称され得る。さらに別の特定の例として、ＩｏＴ（Ｉｎｔｅｒｎｅｔ  ｏｆ  Ｔｈｉｎｇｓ）シナリオにおいて、ＷＤは、モニタリング及び／又は測定を実行する及びそのようなモニタリング及び／又は測定の結果を別のＷＤ及び／又はネットワークノードに送信するマシン又は他のデバイスを表し得る。ＷＤは、この場合、３ＧＰＰコンテキストではＭＴＣデバイスと称され得るマシン対マシン（Ｍ２Ｍ）デバイスでもよい。１つの特定の例として、ＷＤは、３ＧＰＰ  ＮＢ−ＩｏＴ（ｎａｒｒｏｗ  ｂａｎｄ  ｉｎｔｅｒｎｅｔ  ｏｆ  ｔｈｉｎｇｓ）標準を実装するＵＥでもよい。そのようなマシン又はデバイスの具体的な例は、センサ、電力メータなどの計測デバイス、産業マシン、又は家庭用若しくは個人用器具（たとえば、冷蔵庫、テレビジョンなど）、パーソナルウェアラブル（たとえば、腕時計、フィットネストラッカなど）である。他のシナリオにおいて、ＷＤは、その動作状況の監視及び／又は報告或いはその動作に関連する他の機能の能力を有する車両又は他の機器を表し得る。前述のようなＷＤは、ワイヤレス接続のエンドポイントを表し得、その場合、デバイスはワイヤレス端末と称され得る。さらに、前述のようなＷＤは、モバイルでもよく、その場合、それはモバイルデバイス又はモバイル端末���も称され得る。
【０１２６】
図示されているように、ワイヤレスデバイス１１０は、アンテナ１１１、インターフェース１１４、処理回路１２０、デバイス可読媒体１３０、ユーザインターフェース機器１３２、補助機器１３４、電源１３６及び電力回路１３７を含む。ＷＤ１１０は、たとえば、少し例を挙げると、ＧＳＭ、ＷＣＤＭＡ、ＬＴＥ、ＮＲ、ＷｉＦｉ、ＷｉＭＡＸ、又はブルートゥースワイヤレス技術など、ＷＤ１１０によってサポートされる異なるワイヤレス技術のための、図示された構成要素のうちの１つ又は複数の構成要素の複数のセットを含み得る。これらのワイヤレス技術は、ＷＤ１１０内の他の構成要素と同じ又は異なるチップ又はチップのセットに統合され得る。
【０１２７】
アンテナ１１１は、ワイヤレス信号を送信及び／又は受信するように設定された１つ又は複数のアンテナ又はアンテナアレイを含み得、インターフェース１１４に接続される。ある種の代替実施形態において、アンテナ１１１は、ＷＤ１１０とは別個でもよく、インターフェース又はポートを介してＷＤ１１０に接続可能になり得る。アンテナ１１１、インターフェース１１４、及び／又は処理回路１２０は、ＷＤによって実行されるものとして本明細書に記載されている任意の受信又は送信動作を実行するように設定され得る。任意の情報、データ及び／又は信号が、ネットワークノード及び／又は別のＷＤから受信され得る。一部の実施形態では、無線フロントエンド回路及び／又はアンテナ１１１は、インターフェースと考えられ得る。
【０１２８】
図示されているように、インターフェース１１４は、無線フロントエンド回路１１２及びアンテナ１１１を備える。無線フロントエンド回路１１２は、１つ又は複数のフィルタ１１８及び増幅器１１６を備える。無線フロントエンド回路１１４は、アンテナ１１１及び処理回路１２０に接続され、アンテナ１１１と処理回路１２０との間で通信される信号を調整するように設定される。無線フロントエンド回路１１２は、アンテナ１１１に連結され得る、又はアンテナ１１１の一部でもよい。一部の実施形態では、ＷＤ１１０は、別個の無線フロントエンド回路１１２を含まないことがあり、そうではなくて、処理回路１２０は、無線フロントエンド回路を備え得、アンテナ１１１に接続され得る。同様に、一部の実施形態では、ＲＦトランシーバ回路１２２の一部又はすべては、インターフェース１１４の一部と考えられ得る。無線フロントエンド回路１１２は、ワイヤレス接続を介して他のネットワークノード又はＷＤに送出されることになるデジタルデータを受信し得る。無線フロントエンド回路１１２は、フィルタ１１８及び／又は増幅器１１６の組合せを使用して適切なチャネル及び帯域幅パラメータを有する無線信号にデジタルデータを変換し得る。無線信号は、次いで、アンテナ１１１を介して送信され得る。同様に、データを受信しているとき、アンテナ１１１は、次いで無線フロントエンド回路１１２によってデジタルデータに変換される、無線信号を収集し得る。デジタルデータは、処理回路１２０に渡され得る。他の実施形態において、インターフェースは、異なる構成要素及び／又は異なる組合せの構成要素を備え得る。
【０１２９】
処理回路１２０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、資源、或いは、単独で又はデバイス可読媒体１３０などの他のＷＤ１１０構成要素と連動して、ＷＤ１１０機能性を提供するように動作可能なハードウェア、ソフトウェア、及び／又は符号化されたロジックの組合せを備え得る。そのような機能性は、本明細書で論じられる様々なワイヤレス特徴又は利益のいずれかの提供を含み得る。たとえば、処理回路１２０は、本明細書で開示される機能性を提供するために、デバイス可読媒体１３０に又は処理回路１２０内のメモリに記憶された命令を実行し得る。
【０１３０】
図示されているように、処理回路１２０は、ＲＦトランシーバ回路１２２、ベースバンド処理回路１２４、及びアプリケーション処理回路１２６のうちの１つ又は複数を含む。他の実施形態において、処理回路は、異なる構成要素及び／又は異なる組合せの構成要素を備え得る。ある種の実施形態では、ＷＤ１１０の処理回路１２０は、ＳＯＣを備え得る。一部の実施形態では、ＲＦトランシーバ回路１２２、ベースバンド処理回路１２４、及びアプリケーション処理回路１２６は、別個のチップ又はチップのセット上にあることがある。代替実施形態において、ベースバンド処理回路１２４及びアプリケーション処理回路１２６の一部又はすべては、１つのチップ又はチップのセット内に結合され得、ＲＦトランシーバ回路１２２は、別個のチップ又はチップのセット上にあってもよい。さらに代替実施形態において、ＲＦトランシーバ回路１２２及びベースバンド処理回路１２４の一部又はすべては、同じチップ又はチップのセット上にあることがあり、アプリケーション処理回路１２６は、別個のチップ又はチップのセット上にあることがある。さらに他の代替実施形態において、ＲＦトランシーバ回路１２２、ベースバンド処理回路１２４、及びアプリケーション処理回路１２６の一部又はすべては、同じチップ又はチップのセット内に結合され得る。一部の実施形態では、ＲＦトランシーバ回路１２２は、インターフェース１１４の一部でもよい。ＲＦトランシーバ回路１２２は、処理回路１２０のＲＦ信号を調整し得る。
【０１３１】
ある種の実施形態では、ＷＤによって実行されるものとして本明細書に記載の機能性の一部又はすべては、ある種の実施形態ではコンピュータ可読記憶媒体であることがある、デバイス可読媒体１３０に記憶された命令を実行する処理回路１２０によって提供され得る。代替実施形態において、機能性の一部の又はすべては、ハードワイヤード方式などで、別個の又はディスクリートデバイスの可読記憶媒体に記憶された命令を実行することなしに処理回路１２０によって提供され得る。それらの特定の実施形態のいずれかにおいて、デバイス可読記憶媒体に記憶された命令を実行してもしなくても、処理回路１２０は、記載された機能性を実行するように設定することができる。そのような機能性によって提供される利益は、単独で処理回路１２０に又はＷＤ１１０の他の構成要素に限定されず、全体としてのＷＤ１１０によって、及び／又は一般にエンドユーザ及びワイヤレスネットワークによって、享受される。
【０１３２】
処理回路１２０は、ＷＤによって実行されるものとして本明細書に記載された任意の決定、計算、又は類似の動作（たとえば、ある種の取得動作）を実行するように設定され得る。処理回路１２０によって実行されるものとしての、これらの動作は、たとえば、取得された情報を他の情報に変換すること、取得された情報又は変換された情報をＷＤ１１０によって記憶された情報と比較すること、及び／又は取得された情報又は変換された情報に基づいて１つ又は複数の動作を実行することにより、処理回路１２０によって取得された情報を処理すること、並びに前記処理の結果として判定を行うことを含み得る。
【０１３３】
デバイス可読媒体１３０は、コンピュータプログラム、ソフトウェア、ロジック、ルール、コード、テーブルなどのうちの１つ又は複数を含むアプリケーション及び／又は処理回路１２０によって実行することが可能な他の命令を記憶するように動作可能になり得る。デバイス可読媒体１３０は、コンピュータメモリ（たとえば、ランダムアクセスメモリ（ＲＡＭ）又は読取り専用メモリ（ＲＯＭ））、大容量記憶媒体（たとえば、ハードディスク）、取り外し可能記憶媒体（たとえば、コンパクトディスク（ＣＤ）又はデジタルビデオディスク（ＤＶＤ））、及び／又は処理回路１２０によって使用され得る情報、データ、及び／又は命令を記憶する任意の他の揮発性又は不揮発性の、非一時的デバイス可読及び／又はコンピュータ実行可能メモリデバイスを含み得る。一部の実施形態では、処理回路１２０及びデバイス可読媒体１３０は、統合されたものとして考えられ得る。
【０１３４】
ユーザインターフェース機器１３２は、人間のユーザがＷＤ１１０と相互作用することを可能にする構成要素を提供し得る。そのような相互作用は、視覚、聴覚、触覚などの多数の形態をとり得る。ユーザインターフェース機器１３２は、ユーザへの出力を生み出すように及びユーザが入力をＷＤ１１０に提供することを可能にするように動作可能になり得る。相互作用のタイプは、ＷＤ１１０にインストールされたユーザインターフェース機器１３２のタイプに応じて変化し得る。たとえば、ＷＤ１１０がスマートフォンである場合には、相互作用はタッチスクリーンを介し得、ＷＤ１１０がスマートメータである場合には、相互作用は、使用量（たとえば、使用されたガロン数）を提供するスクリーン又は警報音を提供する（たとえば、煙が検知された場合に）スピーカを介し得る。ユーザインターフェース機器１３２は、入力インターフェース、デバイス及び回路と、出力インターフェース、デバイス及び回路とを含み得る。ユーザインターフェース機器１３２は、ＷＤ１１０への情報の入力を可能にするように設定され、処理回路１２０に接続されて処理回路１２０が入力情報を処理することを可能にする。ユーザインターフェース機器１３２は、たとえば、マイクロフォン、近接若しくは他のセンサ、キー／ボタン、タッチディスプレイ、１つ又は複数のカメラ、ＵＳＢポート、又は他の入力回路を含み得る。ユーザインターフェース機器１３２はまた、ＷＤ１１０からの情報の出力を可能にするように、及び処理回路１２０がＷＤ１１０から情報を出力することを可能にするように設定される。ユーザインターフェース機器１３２は、たとえば、スピーカ、ディスプレイ、振動回路、ＵＳＢポート、ヘッドフォンインターフェース、又は他の出力回路を含み得る。ユーザインターフェース機器１３２の１つ又は複数の入力及び出力インターフェース、デバイス、及び回路を使用し、ＷＤ１１０は、エンドユーザ及び／又はワイヤレスネットワークと通信することができ、それらが本明細書に記載の機能性から利益を得ることを可能にし得る。
【０１３５】
補助機器１３４は、ＷＤによって一般に実行されないことがあるより多くの特定の機能性を提供するように動作可能である。これは、様々な目的で測定を行うための専門のセンサ、ワイヤード通信などの付加的タイプの通信のためのインターフェースなどを備え得る。補助機器１３４の構成要素の包含及びタイプは、実施形態及び／又はシナリオに応じて異なり得る。
【０１３６】
一部の実施形態では、電源１３６は、バッテリ又はバッテリパックの形でもよい。外部電源（たとえば、電気コンセント）、光電池デバイス又は動力電池など、他のタイプの電源もまた使用され得る。ＷＤ１１０はさらに、本明細書に記載又は示された任意の機能性を実行するために電源１３６からの電力を必要とするＷＤ１１０の様々な部分に電源１３６から電力を届けるための電力回路１３７を備え得る。ある種の実施形態では、電力回路１３７は、電力管理回路を備え得る。電力回路１３７は、付加的に又は別法として外部電源から電力を受信するように動作可能になり得、その場合、ＷＤ１１０は、入力回路又は電気動力ケーブルなどのインターフェースを介して外部電源（電気コンセントなど）に接続可能になり得る。ある種の実施形態では、電力回路１３７はまた、外部電源から電源１３６に電力を届けるように動作可能になり得る。これは、たとえば、電源１３６の充電のためでもよい。電力回路１３７は、任意のフォーマッティング、変換、又は他の修正を電源１３６からの電力に実行して、電力を、電力が供給される先のＷＤ１１０のそれぞれの構成要素に適するようにさせることができる。
【０１３７】
図９は、本明細書に記載する様々な態様による、ＵＥの一実施形態を示している。本明細書では、ユーザ機器又はＵＥは、関連デバイスを所有及び／又は操作する人間ユーザという意味でのユーザを必ずしも有さないことがある。そうではなく、ＵＥは、人間ユーザへの販売、又は人間ユーザによる操作向けに意図されるが、特定の人間ユーザに関連付けられていないことがある、又は最初は特定の人間ユーザに関連付けられていないことがあるデバイスを表し得る（たとえば、スマートスプリンクラコントローラ）。別法として、ＵＥは、エンドユーザへの販売又はエンドユーザによる操作向けに意図されていないが、ユーザの利益に関連し得る又はユーザの利益のために操作され得るデバイスを表し得る（たとえば、スマート電力メータ）。ＵＥ２２００は、ＮＢ−ＩｏＴ  ＵＥ、マシンタイプ通信（ＭＴＣ：ｍａｃｈｉｎｅ  ｔｙｐｅ  ｃｏｍｍｕｎｉｃａｔｉｏｎ）ＵＥ、及び／又は拡張ＭＴＣ（ｅＭＴＣ：ｅｎｈａｎｃｅｄ  ＭＴＣ）ＵＥを含む、第３世代パートナーシッププロジェクト（３ＧＰＰ）によって識別された任意のＵＥでもよい。図９に示されているような、ＵＥ２００は、３ＧＰＰのＧＳＭ、ＵＭＴＳ、ＬＴＥ、及び／又は５Ｇ標準など、第３世代パートナーシッププロジェクト（３ＧＰＰ）によって公表された１つ又は複数の通信標準による通信向けに設定されたＷＤの一例である。前述のように、ＷＤ及びＵＥという用語は、同義で使用され得る。したがって、図９はＵＥであるが、本明細書で論じられる構成要素は、ＷＤに同等に適用可能であり、逆もまた同様である。
【０１３８】
図９では、ＵＥ２００は、入力／出力インターフェース２０５、無線周波数（ＲＦ）インターフェース２０９、ネットワーク接続インターフェース２１１、ランダムアクセスメモリ（ＲＡＭ）２１７、読取り専用メモリ（ＲＯＭ）２１９、及び記憶媒体２２１などを含むメモリ２１５、通信サブシステム２３１、電源２３３、及び／又は任意の他の構成要素、或いはその任意の組合せに動作可能なように連結された、処理回路２０１を含む。記憶媒体２２１は、オペレーティングシステム２２３、アプリケーションプログラム２２５、及びデータ２２７を含む。他の実施形態において、記憶媒体２２１は、他の類似のタイプの情報を含み得る。ある種のＵＥは、図９に示されたすべての構成要素、又はそれらの構成要素のサブセットのみを使用し得る。構成要素間の統合のレベルは、ＵＥによって異なり得る。さらに、ある種のＵＥは、複数のプロセッサ、メモリ、トランシーバ、送信器、受信器などの構成要素の複数のインスタンスを含み得る。
【０１３９】
図９では、処理回路２０１は、コンピュータ命令及びデータを処理するように設定され得る。処理回路２０１は、１つ又は複数のハードウェア実装された状態マシン（たとえば、離散的なロジック、ＦＰＧＡ、ＡＳＩＣなどにおける）など、メモリ内のマシン可読コンピュータプログラムとして記憶されたマシン命令を実行するように動作可能な任意の順次状態マシン、適切なファームウェアと一緒のプログラマブルロジック、適切なソフトウェアと一緒の、マイクロプロセッサ又はデジタル信号プロセッサ（ＤＳＰ）などの、１つ又は複数の記憶されたプログラム、汎用プロセッサ、或いは前記の任意の組合せを実装するように設定され得る。たとえば、処理回路２０１は、２つの中央処理装置（ＣＰＵ）を含み得る。データは、コンピュータによる使用に適した形の情報でもよい。
【０１４０】
図示された実施形態では、入力／出力インターフェース２０５は、通信インターフェースを入力デバイス、出力デバイス、或いは、入力及び出力デバイスに提供するように設定され得る。ＵＥ２００は、入力／出力インターフェース２０５を介して出力デバイスを使用するように設定され得る。出力デバイスは、入力デバイスと同じタイプのインターフェースポートを使用し得る。たとえば、ＵＳＢポートは、ＵＥ２００への入力及びＵＥ２００からの出力を提供するために使用され得る。出力デバイスは、スピーカ、サウンドカード、ビデオカード、ディスプレイ、モニタ、プリンタ、アクチュエータ、エミッタ、スマートカード、別の出力デバイス、又はその任意の組合せでもよい。ＵＥ２００は、ユーザがＵＥ２００内に情報をキャプチャすることを可能にするために入力／出力インターフェース２０５を介して入力デバイスを使用するように設定され得る。入力デバイスは、タッチセンサ式又はプレゼンスセンサ式ディスプレイ、カメラ（たとえば、デジタルカメラ、デジタルビデオカメラ、ウェブカメラなど）、マイクロフォン、センサ、マウス、トラックボール、方向性パッド、トラックパッド、スクロールホイール、スマートカードなどを含み得る。プレゼンスセンサ式ディスプレイは、ユーザからの入力を感知するための容量性又は抵抗性タッチセンサを含み得る。センサは、たとえば、加速度計、ジャイロスコープ、傾斜センサ、力センサ、磁力計、光センサ、近接センサ、別の同様のセンサ、又はその任意の組合せでもよい。たとえば、入力デバイスは、加速度計、磁力計、デジタルカメラ、マイクロフォン、及び光センサでもよい。
【０１４１】
図９では、ＲＦインターフェース２０９は、送信器、受信器、及びアンテナなどのＲＦ構成要素に通信インターフェースを提供するように設定され得る。ネットワーク接続インターフェース２１１は、通信インターフェースをネットワーク２４３ａに提供するように設定され得る。ネットワーク２４３ａは、ローカルエリアネットワーク（ＬＡＮ）、ワイドエリアネットワーク（ＷＡＮ）、コンピュータネットワーク、ワイヤレスネットワーク、通信ネットワーク、別の同様のネットワーク又はその任意の組合せなど、ワイヤード及び／又はワイヤレスネットワークを包含し得る。たとえば、ネットワーク２４３ａは、Ｗｉ−Ｆｉネットワークを備え得る。ネットワーク接続インターフェース２１１は、イーサネット、ＴＣＰ／ＩＰ、ＳＯＮＥＴ、ＡＴＭなどの１つ又は複数の通信プロトコルによる通信ネットワークを介して１つ又は複数の他のデバイスと通信するために使用される受信器及び送信器インターフェースを含むように設定され得る。ネットワーク接続インターフェース２１１は、通信ネットワークリンク（たとえば、光、電気など）に適した受信器及び送信器機能性を実装し得る。送信器及び受信器機能は、回路構成要素、ソフトウェア又はファームウェアを共用し得、或いは別法として別個に実装され得る。
【０１４２】
ＲＡＭ２１７は、オペレーティングシステム、アプリケーションプログラム、及びデバイスドライバなどのソフトウェアプログラムの実行中にデータ又はコンピュータ命令の記憶又はキャッシュを行うために処理回路２０１にバス２０２を介してインターフェースするように設定され得る。ＲＯＭ２１９は、コンピュータ命令又はデータを処理回路２０１に提供するように設定され得る。たとえば、ＲＯＭ２１９は、基本入力及び出力（Ｉ／Ｏ）、スタートアップ、又は不揮発性メモリに記憶されたキーボードからのキーストロークの受信などの基本システム機能のための不変の低レベルシステムコード又はデータを記憶するように設定され得る。記憶媒体２２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピディスク、ハードディスク、取り外し可能カートリッジ、又はフラッシュドライブなどのメモリを含むように設定され得る。１つの例では、記憶媒体２２１は、オペレーティングシステム２２３、ウェブブラウザアプリケーションなどのアプリケーションプログラム２２５、ウィジェット若しくはガジェットエンジン又は別のアプリケーション、及びデータファイル２２７を含むように設定され得る。記憶媒体２２１は、ＵＥ２００によって使用するために、バラエティ豊かな様々なオペレーティングシステムのいずれか又はオペレーティングシステムの組合せを記憶し得る。
【０１４３】
記憶媒体２２１は、ＲＡＩＤ（ｒｅｄｕｎｄａｎｔ  ａｒｒａｙ  ｏｆ  ｉｎｄｅｐｅｎｄｅｎｔ  ｄｉｓｋ）、フロッピディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ：ｈｉｇｈ−ｄｅｎｓｉｔｙ  ｄｉｇｉｔａｌ  ｖｅｒｓａｔｉｌｅ  ｄｉｓｃ）光ディスクドライブ、内部ハードディスクドライブ、ブルーレイ光ディスクドライブ、ホログラフィックデジタルデータストレージ（ＨＤＤＳ：ｈｏｌｏｇｒａｐｈｉｃ  ｄｉｇｉｔａｌ  ｄａｔａ  ｓｔｏｒａｇｅ）光ディスクドライブ、外部ミニデュアルインラインメモリモジュール（ＤＩＭＭ：ｍｉｎｉ−ｄｕａｌ  ｉｎ−ｌｉｎｅ  ｍｅｍｏｒｙ  ｍｏｄｕｌｅ）、同期型ダイナミックランダムアクセスメモリ（ＳＤＲＡＭ：ｓｙｎｃｈｒｏｎｏｕｓ  ｄｙｎａｍｉｃ  ｒａｎｄｏｍ  ａｃｃｅｓｓ  ｍｅｍｏｒｙ）、外部マイクロＤＩＭＭ  ＳＤＲＡＭ、加入者識別モジュール若しくは取り外し可能ユーザ識別（ＳＩＭ／ＲＵＩＭ：ｓｕｂｓｃｒｉｂｅｒ  ｉｄｅｎｔｉｔｙ  ｍｏｄｕｌｅ  ｏｒ  ａ  ｒｅｍｏｖａｂｌｅ  ｕｓｅｒ  ｉｄｅｎｔｉｔｙ）モジュールなどのスマートカードメモリ、他のメモリ、或いはその任意の組合せなどのいくつかの物理ドライブユニットを含むように設定され得る。記憶媒体２２１は、ＵＥ２００が、一時的又は非一時的メモリ媒体に記憶された、コンピュータで実行可能な命令、アプリケーションプログラムなどにアクセスすること、データをオフロードすること、或いはデータをアップロードすることを可能にし得る。通信システムを使用するものなどの製造品は、デバイス可読媒体を備え得る記憶媒体２２１において有形に実施され得る。
【０１４４】
図９において、処理回路２０１は、通信サブシステム２３１を使用するネットワーク２４３ｂと通信するように設定され得る。ネットワーク２４３ａ及びネットワーク２４３ｂは、１つ又は複数の同じネットワーク或いは１つ又は複数の異なるネットワークでもよい。通信サブシステム２３１は、ネットワーク２４３ｂと通信するために使用される１つ又は複数のトランシーバを含むように設定され得る。たとえば、通信サブシステム２３１は、ＩＥＥＥ８０２．２、ＣＤＭＡ、ＷＣＤＭＡ、ＧＳＭ、ＬＴＥ、ＵＴＲＡＮ、ＷｉＭａｘなどの１つ又は複数の通信プロトコルによる無線アクセスネットワーク（ＲＡＮ）の別のＷＤ、ＵＥ、又は基地局など、ワイヤレス通信の能力を有する別のデバイスの１つ又は複数のリモートトランシーバと通信するために使用される１つ又は複数のトランシーバを含むように設定され得る。各トランシーバは、それぞれ、ＲＡＮリンクに適した送信器又は受信器機能性（たとえば、周波数割当てなど）を実装するために送信器２３３及び／又は受信器２３５を含み得る。さらに、各トランシーバの送信器２３３及び受信器２３５は、回路構成要素、ソフトウェア又はファームウェアを共用し得る、或いは別法として別個に実装され得る。
【０１４５】
図示された実施形態において、通信サブシステム２３１の通信機能は、データ通信、音声通信、マルチメディア通信、ブルートゥースなどの短距離通信、近距離無線通信、位置を判定するためのグローバルポジショニングシステム（ＧＰＳ）の使用などの位置ベースの通信、別の同様の通信機能、或いはその任意の組合せを含み得る。たとえば、通信サブシステム２３１は、セルラ通信、Ｗｉ−Ｆｉ通信、ブルートゥース通信、及びＧＰＳ通信を含み得る。ネットワーク２４３ｂは、ローカルエリアネットワーク（ＬＡＮ）、ワイドエリアネットワーク（ＷＡＮ）、コンピュータネットワーク、ワイヤレスネットワーク、通信ネットワーク、別の同様のネットワーク又はその任意の組合せなど、ワイヤード及び／又はワイヤレスネットワークを包含し得る。たとえば、ネットワーク２４３ｂは、セルラネットワーク、Ｗｉ−Ｆｉネットワーク、及び／又は近距離無線ネットワークでもよい。電源２１３は、交流（ＡＣ）又は直流（ＤＣ）電力をＵＥ２００の構成要素に提供するように設定され得る。
【０１４６】
本明細書に記載の特徴、利益及び／又は機能は、ＵＥ２００の構成要素のうちの１つにおいて実装され得る、又はＵＥ２００の複数の構成要素を横断して分割され得る。さらに、本明細書に記載の特徴、利益、及び／又は機能は、ハードウェア、ソフトウェア又はファームウェアの任意の組合せにおいて実装され得る。１つの例では、通信サブシステム２３１は、本明細書に記載の構成要素のいずれかを含むように設定され得る。さらに、処理回路２０１は、バス２０２を介してそのような構成要素のいずれかと通信するように設定され得る。別の例では、そのような構成要素のいずれかは、処理回路２０１によって実行されたときに本明細書に記載の対応する機能を実行するメモリに記憶されたプログラム命令によって表され得る。別の例では、そのような構成要素のうちのいずれかの構成要素の機能性は、処理回路２０１と通信サブシステム２３１との間で分割され得る。別の例では、そのような構成要素のうちのいずれかの構成要素の非計算集約的機能は、ソフトウェア又はファームウェアにおいて実装され得、計算集約的機能は、ハードウェアにおいて実装され得る。
【０１４７】
図１０は、一部の実施形態によって実装される機能が仮想化され得る仮想化環境３００を示す概略的ブロック図である。これに関連して、仮想化は、ハードウェアプラットフォーム、記憶デバイス及びネットワーク資源の仮想化を含み得る装置又はデバイスの仮想バージョンの作成を意味する。本明細書では、仮想化は、ノード（たとえば、仮想化された基地局又は仮想化された無線アクセスノード）に或いはデバイス（たとえば、ＵＥ、ワイヤレスデバイス又は任意の他のタイプの通信デバイス）又はその構成要素に適用することができ、機能性の少なくとも一部分が１つ又は複数の仮想構成要素として実装される（たとえば、１つ又は複数のアプリケーション、構成要素、機能、仮想マシン又は１つ又は複数のネットワーク内の１つ又は複数の物理処理ノードで実行するコンテナを介して）実装形態に関する。
【０１４８】
一部の実施形態では、本明細書に記載の機能の一部又はすべては、ハードウェアノード３３０のうちの１つ又は複数によってホストされる１つ又は複数の仮想環境３００において実装された１つ又は複数の仮想マシンによって実行される仮想構成要素として実装され得る。さらに、仮想ノードが無線アクセスノードではない又は無線接続性（たとえば、コアネットワークノード）を必要としない実施形態では、そのとき、ネットワークノードは、完全に仮想化され得る。
【０１４９】
本機能は、本明細書で開示される実施形態のうちのいくつかの実施形態の特徴、機能、及び／又は利益のうちのいくつかを実装するように動作可能な１つ又は複数のアプリケーション３２０（ソフトウェアインスタンス、仮想アプライアンス、ネットワーク機能、仮想ノード、仮想ネットワーク機能などと別称され得る）によって実装され得る。アプリケーション３２０は、処理回路３６０及びメモリ３９０を備えるハードウェア３３０を提供する仮想化環境３００において実行される。メモリ３９０は、処理回路３６０によって実行可能な命令３９５を含み、それにより、アプリケーション３２０は、本明細書で開示される特徴、利益、及び／又は機能のうちの１つ又は複数を提供するように動作可能である。
【０１５０】
仮想化環境３００は、民生（ＣＯＴＳ：ｃｏｍｍｅｒｃｉａｌ  ｏｆｆ−ｔｈｅ−ｓｈｅｌｆ）プロセッサ、特定用途向け集積回路（ＡＳＩＣ）、或いはデジタル若しくはアナログハードウェア構成要素又は専用プロセッサを含む任意の他のタイプの処理回路でもよい、１セットの１つ又は複数のプロセッサ又は処理回路３６０を備えた、汎用又は専用ネットワークハードウェアデバイス３３０を備える。各ハードウェアデバイスは、命令３９５又は処理回路３６０によって実行されるソフトウェアを一時的に記憶するための非永続メモリでもよいメモリ３９０−１を備え得る。各ハードウェアデバイスは、物理ネットワークインターフェース３８０を含む、ネットワークインターフェースカードとしても知られる、１つ又は複数のネットワークインターフェースコントローラ（ＮＩＣ：ｎｅｔｗｏｒｋ  ｉｎｔｅｒｆａｃｅ  ｃｏｎｔｒｏｌｌｅｒ）３７０を備え得る。各ハードウェアデバイスはまた、ソフトウェア３９５がそこに記憶された非一時的、永続的、マシン可読記憶媒体３９０−２、及び／又は処理回路３６０によって実行可能な命令を含み得る。ソフトウェア３９５は、１つ又は複数の仮想化レイヤ３５０（ハイパーバイザとも呼ばれる）のインスタンスを作成するためのソフトウェア、仮想マシン３４０を実行するためのソフトウェア、並びに本明細書に記載のいくつかの実施形態に関連して記載された機能、特徴及び／又は利益をそれが実行することを可能にするソフトウェアを含む、任意のタイプのソフトウェアを含み得る。
【０１５１】
仮想マシン３４０は、仮想処理、仮想メモリ、仮想ネットワーキング又はインターフェース及び仮想ストレージを備え、対応する仮想化レイヤ３５０又はハイパーバイザによって実行され得る。仮想アプライアンス３２０のインスタンスの異なる実施形態は、仮想マシン３４０のうちの１つ又は複数で実装され得、実装形態は、異なる形で行われ得る。
【０１５２】
動作中、処理回路３６０は、仮想マシンモニタ（ＶＭＭ：ｖｉｒｔｕａｌ  ｍａｃｈｉｎｅ  ｍｏｎｉｔｏｒ）と時に称されることがあるハイパーバイザ又は仮想化レイヤ３５０のインスタンスを作成するために、ソフトウェア３９５を実行する。仮想化レイヤ３５０は、仮想マシン３４０にネットワーキングハードウェアのように見える仮想オペレーティングプラットフォームを示し得る。
【０１５３】
図１０に示されるように、ハードウェア３３０は、一般又は特定の構成要素を有するスタンドアロンネットワークノードでもよい。ハードウェア３３０は、アンテナ３２２５を備え得、仮想化を介していくつかの機能を実装し得る。別法として、ハードウェア３３０は、多数のハードウェアノードが連携する及び、とりわけアプリケーション３２０のライフサイクル管理を監督する、管理及び編成（ＭＡＮＯ：ｍａｎａｇｅｍｅｎｔ  ａｎｄ  ｏｒｃｈｅｓｔｒａｔｉｏｎ）３１００を介して管理される、ハードウェアのより大きなクラスタ（たとえば、データセンタ又は顧客構内機器（ＣＰＥ）内など）の一部でもよい。
【０１５４】
ハードウェアの仮想化は、いくつかの文脈では、ネットワーク機能仮想化（ＮＦＶ：ｎｅｔｗｏｒｋ  ｆｕｎｃｔｉｏｎ  ｖｉｒｔｕａｌｉｚａｔｉｏｎ）と称される。ＮＦＶは、データセンタ及び顧客構内機器内に置かれ得る、業界標準高容量サーバハードウェア、物理スイッチ、及び物理ストレージに多数のネットワーク機器タイプを統合するために使用され得る。
【０１５５】
ＮＦＶとの関連で、仮想マシン３４０は、プログラムが物理的な非仮想化マシンで実行していたかのようにプログラムを実行する物理マシンのソフトウェア実装形態でもよい。それぞれの仮想マシン３４０、及びその仮想マシンを実行するハードウェア３３０のその部分は、それがその仮想マシン専用のハードウェア及び／又は他の仮想マシン３４０とその仮想マシンによって共用されるハードウェアであれば、別個の仮想ネットワーク要素（ＶＮＥ）を形成する。
【０１５６】
さらにＮＦＶに関連して、仮想ネットワーク機能（ＶＮＦ：Ｖｉｒｔｕａｌ  Ｎｅｔｗｏｒｋ  Ｆｕｎｃｔｉｏｎ）は、ハードウェアネットワーキングインフラストラクチャ３３０の最上部の１つ又は複数の仮想マシン３４０において実行する特定のネットワーク機能を処理する責任を有し、図１０のアプリケーション３２０に対応する。
【０１５７】
一部の実施形態では、１つ又は複数の送信器３２２０及び１つ又は複数の受信器３２１０をそれぞれ含む１つ又は複数の無線ユニット３２００は、１つ又は複数のアンテナ３２２５に連結され得る。無線ユニット３２００は、１つ又は複数の適切なネットワークインターフェースを介してハードウェアノード３３０と直接通信することができ、無線アクセスノード又は基地局などの無線能力を有する仮想ノードを提供するために仮想構成要素と組み合わせて使用され得る。
【０１５８】
一部の実施形態では、一部のシグナリングは、別法としてハードウェアノード３３０と無線ユニット３２００との間の通信のために使用され得る制御システム３２３０の使用の影響を受け得る。
【０１５９】
図１１を参照すると、一実施形態によれば、通信システムは、無線アクセスネットワークなどのアクセスネットワーク４１１及びコアネットワーク４１４を備える、３ＧＰＰタイプのセルラネットワークなどの通信ネットワーク４１０を含む。アクセスネットワーク４１１は、それぞれが対応するカバレッジエリア４１３ａ、４１３ｂ、４１３ｃを規定する、ＮＢ、ｅＮＢ、ｇＮＢ又は他のタイプのワイヤレスアクセスポイントなどの複数の基地局４１２ａ、４１２ｂ、４１２ｃを備える。各基地局４１２ａ、４１２ｂ、４１２ｃは、ワイヤード又はワイヤレス接続４１５を介してコアネットワーク４１４に接続可能である。カバレッジエリア４１３ｃ内に置かれた第１のＵＥ４９１は、対応する基地局４１２ｃにワイヤレスで接続される又は対応する基地局４１２ｃによってページングされるように設定され得る。カバレッジエリア４１３ａ内の第２のＵＥ４９２は、対応する基地局４１２ａにワイヤレスに接続可能である。複数のＵＥ４９１、４９２が本例では図示されているが、開示される実施形態は、唯一のＵＥがカバレッジエリア内にある又は唯一のＵＥが対応する基地局４１２に接続している状況に同等に適用可能である。
【０１６０】
通信ネットワーク４１０自体は、ホストコンピュータ４３０に接続され、ホストコンピュータ４３０は、スタンドアロンサーバ、クラウド実装されたサーバ、分散型サーバのハードウェア及び／又はソフトウェアにおいて或いはサーバファーム内の処理資源として実施され得る。ホストコンピュータ４３０は、サービスプロバイダの所有権又は制御の下にあってもよく、或いはサービスプロバイダによって又はサービスプロバイダのために動作させられ得る。通信ネットワーク４１０とホストコンピュータ４３０との接続４２１及び４２２は、コアネットワーク４１４からホストコンピュータ４３０に直接延びてもよく、或いはオプションの中間ネットワーク４２０を介してもよい。中間ネットワーク４２０は、パブリックネットワーク、プライベートネットワーク又はホスト型ネットワークのうちの１つ、又はそれらのうちの２つ以上の組合せでもよく、中間ネットワーク４２０は、もしあるなら、バックボーンネットワーク又はインターネットでもよく、具体的には、中間ネットワーク４２０は、２つ以上のサブネットワーク（図示せず）を備え得る。
【０１６１】
全体としての図１１の通信システムは、接続されたＵＥ４９１、４９２及びホストコンピュータ４３０の間の接続性を有効にする。接続性は、オーバーザトップ（ＯＴＴ：ｏｖｅｒ−ｔｈｅ−ｔｏｐ）接続４５０として説明され得る。ホストコンピュータ４３０及び接続されたＵＥ４９１、４９２は、媒介としてアクセスネットワーク４１１、コアネットワーク４１４、任意の中間ネットワーク４２０及び可能なさらなるインフラストラクチャ（図示せず）を使用し、ＯＴＴ接続４５０を介してデータ及び／又はシグナリングを通信するように設定される。ＯＴＴ接続４５０は、ＯＴＴ接続４５０が通過する参加通信デバイスはアップリンク及びダウンリンク通信のルーティングを認識しないという意味で、透過的になり得る。たとえば、基地局４１２は、接続されたＵＥ４９１に転送される（たとえば、ハンドオーバされる）ことになるホストコンピュータ４３０に由来するデータとの着信ダウンリンク通信の過去のルーティングに関して知らされないことがある、又は知らされる必要はない。同様に、基地局４１２は、ＵＥ４９１からホストコンピュータ４３０に向けて始められる外向きのアップリンク通信の未来のルーティングを認識する必要はない。
【０１６２】
前段落で論じられたＵＥ、基地局及びホストコンピュータの一実施形態による例示的実装形態について、図１２を参照して、ここで説明する。通信システム５００では、ホストコンピュータ５１０は、通信システム５００の異なる通信デバイスのインターフェースとのワイヤード又はワイヤレス接続をセットアップ及び維持するように設定された通信インターフェース５１６を含むハードウェア５１５を備える。ホストコンピュータ５１０はさらに、ストレージ及び／又は処理能力を有し得る処理回路５１８を備える。具体的には、処理回路５１８は、１つ又は複数のプログラマブルプロセッサ、特定用途向け集積回路、フィールドプログラマブルゲートアレイ、或いは命令を実行するようになされたこれらの組合せ（図示せず）を備え得る。ホストコンピュータ５１０はさらに、ホストコンピュータ５１０に記憶された若しくはこれによってアクセス可能な及び処理回路５１８によって実行可能な、ソフトウェア５１１を備える。ソフトウェア５１１は、ホストアプリケーション５１２を含む。ホストアプリケーション５１２は、ＵＥ５３０及びホストコンピュータ５１０で終了するＯＴＴ接続５５０を介して接続するＵＥ５３０など、リモートユーザにサービスを提供するように動作可能になり得る。サービスのリモートユーザへの提供において、ホストアプリケーション５１２は、ＯＴＴ接続５５０を使用して送信されるユーザデータを提供し得る。
【０１６３】
通信システム５００はさらに、通信システムにおいて提供される並びにホストコンピュータ５１０と及びＵＥ５３０とそれが通信することを可能にするハードウェア５２５を備える、基地局５２０を含む。ハードウェア５２５は、通信システム５００の異なる通信デバイスのインターフェースとのワイヤード又はワイヤレス接続をセットアップ及び維持するための通信インターフェース５２６、並びに基地局５２０によってサービスされるカバレッジエリア（図１２には図示せず）内に置かれたＵＥ５３０とのワイヤレス接続５７０を少なくともセットアップ及び維持するための無線インターフェース５２７を含み得る。通信インターフェース５２６は、ホストコンピュータ５１０への接続５６０を円滑にするように設定され得る。接続５６０は直接でもよく、或いは、接続５６０は、通信システムのコアネットワーク（図１２には図示せず）を通過及び／又は通信システム外部の１つ又は複数の中間ネットワークを通過してもよい。示された実施形態では、基地局５２０のハードウェア５２５はさらに、１つ又は複数のプログラマブルプロセッサ、特定用途向け集積回路、フィールドプログラマブルゲートアレイ、又は命令を実行するようになされたこれらの組合せ（図示せず）を備え得る、処理回路５２８を含む。基地局５２０はさらに、内部に記憶された又は外部接続を介してアクセス可能なソフトウェア５２１を有する。
【０１６４】
通信システム５００はさらに、すでに参照されたＵＥ５３０を含む。それのハードウェア５３５は、ＵＥ５３０が現在位置するカバレッジエリアにサービスする基地局とのワイヤレス接続５７０をセットアップ及び維持するように設定された無線インターフェース５３７を含み得る。ＵＥ５３０のハードウェア５３５はさらに、１つ又は複数のプログラマブルプロセッサ、特定用途向け集積回路、フィールドプログラマブルゲートアレイ、又は命令を実行するようになされたこれらの組合せ（図示せず）を備え得る、処理回路５３８を含む。ＵＥ５３０はさらに、ＵＥ５３０に記憶された若しくはこれによってアクセス可能な及び処理回路５３８によって実行可能なソフトウェア５３１を備える。ソフトウェア５３１は、クライアントアプリケーション５３２を含む。クライアントアプリケーション５３２は、ホストコンピュータ５１０のサポートを有して、ＵＥ５３０を介して人間又は非人間ユーザにサービスを提供するように動作可能になり得る。ホストコンピュータ５１０では、実行中のホストアプリケーション５１２は、ＵＥ５３０及びホストコンピュータ５１０で終了するＯＴＴ接続５５０を介して実行中のクライアントアプリケーション５３２と通信し得る。ユーザへのサービス提供において、クライアントアプリケーション５３２は、ホストアプリケーション５１２から要求データを受信し、要求データに応答してユーザデータを提供することができる。ＯＴＴ接続５５０は、要求データ及びユーザデータの両方を転送することができる。クライアントアプリケーション５３２は、ユーザと相互作用して、それが提供するユーザデータを生成することができる。
【０１６５】
図１２に示されたホストコンピュータ５１０と、基地局５２０と、ＵＥ５３０とは、それぞれ、図１１のホストコンピュータ４３０と、基地局４１２ａ、４１２ｂ、４１２ｃのうちの１つと、ＵＥ４９１、４９２のうちの１つと類似する又は同一であってもよいことに留意されたい。すなわち、これらのエンティティの内部の動きは、図１２に示されるようでもよく、独立して、周囲のネットワークトポロジは、図１１のそれでもよい。
【０１６６】
図１２において、ＯＴＴ接続５５０は、媒介デバイスの明示的参照及びこれらのデバイスを介するメッセージの正確なルーティングなしに、基地局５２０を介するホストコンピュータ５１０とＵＥ５３０との通信を説明するために抽象的に描かれてある。ネットワークインフラストラクチャは、ルーティングを判定することができ、それは、ＵＥ５３０から若しくはサービスプロバイダオペレーティングホストコンピュータ５１０から又はその両方から隠すように設定され得る。ＯＴＴ接続５５０がアクティブである間、ネットワークインフラストラクチャは、それがルーティングを動的に変更する判定（たとえば、ネットワークの負荷バランシング検討又は再設定に基づく）をさらに行うことができる。
【０１６７】
ＵＥ５３０と基地局５２０との間のワイヤレス接続５７０は、本開示を通じて説明される実施形態の教示に従う。様々な実施形態のうちの１つ又は複数は、ワイヤレス接続５７０が最後のセグメントを形成する、ＯＴＴ接続５５０を使用してＵＥ５３０に提供されるＯＴＴサービスのパフォーマンスを改善する。より詳細には、これらの実施形態の教示は、レイテンシを改善し、それによってユーザの待機時間の低減及び反応の速さなどの利益をもたらしてもよい。
【０１６８】
測定プロシージャは、１つ又は複数の実施形態が改善するモニタリングデータレート、レイテンシ及び他の要因を目的として、提供され得る。測定結果の変動に応答して、ホストコンピュータ５１０とＵＥ５３０との間のＯＴＴ接続５５０を再設定するためのオプションのネットワーク機能性がさらに存在し得る。測定プロシージャ及び／又はＯＴＴ接続５５０を再設定するためのネットワーク機能性は、ホストコンピュータ５１０のソフトウェア５１１及びハードウェア５１５において、又はＵＥ５３０のソフトウェア５３１及びハードウェア５３５において、又はその両方で実装され得る。実施形態において、センサ（図示せず）は、ＯＴＴ接続５５０が通過する通信デバイスにおいて又はそのような通信デバイスに関連して配備され得、センサは、上記で例示されたモニタされる数量の値を供給すること、或いはそこからソフトウェア５１１、５３１がモニタされる数量を計算又は推定し得る他の物理数量の値を供給することによって、測定プロシージャに参加し得る。ＯＴＴ接続５５０の再設定は、メッセージフォーマット、再送信設定、好ましいルーティングなどを含み得、再設定は基地局５２０に影響を及ぼす必要はなく、そして、それは基地局５２０に知られてなくても又は感知できなくてもよい。そのようなプロシージャ及び機能性は、当分野では知られており、実施されることがある。ある種の実施形態では、測定は、スループット、伝搬時間、レイテンシなどのホストコンピュータ５１０の測定を円滑にする占有ＵＥシグナリングを含み得る。ソフトウェア５１１及び５３１が、ＯＴＴ接続５５０を使用し、それが伝搬時間、エラーなどをモニタする間に、メッセージ、具体的には空の又は「ダミー」メッセージ、を送信させるので、測定は実装され得る。
【０１６９】
図１３は、１つの実施形態による、通信システムにおいて実装される方法を示す流れ図である。通信システムは、図１１及び１２を参照して説明されるものでもよいホストコンピュータ、基地局及びＵＥを含む。本開示を簡単にするために、図１３のみの図面の参照が、このセクションに含まれることになる。ステップ６１０において、ホストコンピュータはユーザデータを提供する。ステップ６１０のサブステップ６１１（オプションでもよい）では、ホストコンピュータは、ホストアプリケーションを実行することによって、ユーザデータを提供する。ステップ６２０では、ホストコンピュータは、ユーザデータをＵＥに運ぶ送信を開始する。ステップ６３０（オプションでもよい）では、基地局が、本開示を通して説明される実施形態の教示に従って、ホストコンピュータが開始した送信において運ばれたユーザデータをＵＥに送信する。ステップ６４０（やはりオプションでもよい）で、ＵＥは、ホストコンピュータによって実行されるホストアプリケーションに関連するクライアントアプリケーションを実行する。
【０１７０】
図１４は、１つの実施形態による、通信システムにおいて実装される方法を示す流れ図である。通信システムは、図１１及び１２を参照して説明されるものでもよいホストコンピュータ、基地局及びＵＥを含む。本開示を簡単にするために、図１４の図面の参照のみが、このセクションに含まれることになる。本方法のステップ７１０において、ホストコンピュータはユーザデータを提供する。オプションのサブステップ（図示せず）において、ホストコンピュータは、ホストアプリケーションを実行することによって、ユーザデータを提供する。ステップ７２０で、ホストコンピュータは、ユーザデータをＵＥに運ぶ送信を開始する。送信は、本開示を通して説明される実施形態の教示によれば、基地局を通り得る。ステップ７３０（オプションでもよい）で、ＵＥは、その送信で運ばれたユーザデータを受信する。
【０１７１】
図１５は、１つの実施形態による、通信システムにおいて実装される方法を示す流れ図である。通信システムは、図１１及び１２を参照して説明されるものでもよいホストコンピュータ、基地局及びＵＥを含む。本開示を簡単にするために、図１５の図面の参照のみが、このセクションに含まれることになる。ステップ８１０（オプションでもよい）で、ＵＥは、ホストコンピュータによって提供された入力データを受信する。追加で又は別法として、ステップ８２０で、ＵＥはユーザデータを提供する。ステップ８２０のサブステップ８２１（オプションでもよい）で、ＵＥは、クライアントアプリケーションを実行することによって、ユーザデータを提供する。ステップ８１０のサブステップ８１１（オプションでもよい）で、ＵＥは、ホストコンピュータによって提供される受信された入力データに反応してユーザデータを提供するクライアントアプリケーションを実行する。ユーザデータの提供において、実行されるクライアントアプリケーションは、ユーザから受信されたユーザ入力をさらに考慮し得る。ユーザデータが提供された具体的方式に関わらず、ＵＥは、サブステップ８３０（オプションでもよい）で、ユーザデータのホストコンピュータへの送信を開始する。本方法のステップ８４０において、ホストコンピュータは、本開示を通して説明される実施形態の教示によれば、ＵＥから送信されたユーザデータを受信する。
【０１７２】
図１６は、１つの実施形態による、通信システムにおいて実装された方法を示す流れ図である。通信システムは、図１１及び１２を参照して説明されるものでもよいホストコンピュータ、基地局及びＵＥを含む。本開示を簡単にするために、図１６の図面の参照のみが、このセクションに含まれることになる。ステップ９１０（オプションでもよい）において、本開示を通して説明される実施形態の教示に従って、基地局は、ユーザデータをＵＥから受信する。ステップ９２０（オプションでもよい）で、基地局は、受信されたユーザデータのホストコンピュータへの送信を開始する。ステップ９３０（オプションでもよい）で、ホストコンピュータは、基地局によって開始された送信で運ばれたユーザデータを受信する。
【０１７３】
本明細書で開示される任意の適切なステップ、方法、特徴、機能、又は利益は、１つ又は複数の仮想装置の１つ又は複数の機能ユニット又はモジュールを介して実行され得る。各仮想装置は、いくつかのこれらの機能ユニットを備え得る。これらの機能ユニットは、１つ又は複数のマイクロプロセッサ又はマイクロコントローラを含み得る、処理回路、並びに、デジタル信号プロセッサ（ＤＳＰ）、専用デジタルロジックなどを含み得る、他のデジタルハードウェアを介して実装され得る。処理回路は、読取り専用メモリ（ＲＯＭ）、ランダムアクセスメモリ（ＲＡＭ）、キャッシュメモリ、フラッシュメモリデバイス、光記憶デバイスなど、１つの又はいくつかのタイプのメモリを含み得る。メモリに記憶されたプログラムコードは、１つ若しくは複数の電気通信及び／又はデータ通信プロトコルを実行するプログラム命令、並びに本明細書に記載される技術の１つ若しくは複数を実施する命令を含む。いくつかの実装形態では、処理回路は、本開示の１つ又は複数の実施形態による対応する機能をそれぞれの機能的ユニットに実施させるのに使用されてもよい。
【０１７４】
図１７は、特定の実施形態による方法を示しており、ネットワークノードがｍｓｇ３で受信することができる限界を識別子の長さが超える、ワイヤレスデバイスと関連付けられた識別子の少なくとも一部分をｍｓｇ５で送出するように決定すること（ステップ１７０１）と、ワイヤレスデバイスと関連付けられた識別子の一部分又はワイヤレスデバイスと関連付けられた識別子の代わりに提供される乱数値を含むｍｓｇ３を、ネットワークノードに送信すること（ステップ１７０２）と、ワイヤレスデバイスと関連付けられた識別子の少なくとも一部分又はワイヤレスデバイスと関連付けられた識別子全体を含むｍｓｇ５を、ネットワークノードに送信すること（ステップ１７０３）と、を含む。
【０１７５】
図１８は、ワイヤレスネットワーク（たとえば、図８に示されるワイヤレスネットワーク）の装置１８００の概略的ブロック図を示している。装置は、ワイヤレスデバイス又はネットワークノード（たとえば、図８に示されるワイヤレスデバイス１１０又はネットワークノード１６０）で実装されてもよい。装置１８００は、図１７を参照して記載される例示の方法、及び場合によっては本明細書に開示される他の任意のプロセス又は方法を実施するように動作可能である。また、図１７の方法は必ずしも装置１８００のみによって実施されなくてもよいことが理解されるべきである。方法の少なくともいくつかの動作は、１つ又は複数の他のエンティティによって実施することができる。
【０１７６】
仮想装置ＷＷ００は、１つ若しくは複数のマイクロプロセッサ又はマイクロコントローラを含んでもよい、処理回路、並びにデジタル信号プロセッサ（ＤＳＰ）、専用デジタル論理などを含んでもよい、他のデジタルハードウェアを備えてもよい。処理回路は、読出し専用メモリ（ＲＯＭ）、ランダムアクセスメモリ、キャッシュメモリ、フラッシュメモリデバイス、光学記憶デバイスなど、１つ又は複数のタイプのメモリを含んでもよい、メモリに記憶されたプログラムコードを実行するように設定されてもよい。いくつかの実施形態では、メモリに記憶されたプログラムコードは、１つ又は複数の電気通信及び／又はデータ通信プロトコルを実行するためのプログラム命令並びに本明細書に記載の技法のうちの１つ又は複数を実行するための命令を含む。いくつかの実装形態では、処理回路は、メッセージ設定ユニット１８０２、メッセージ送信ユニット１８０４、及び装置１８００の他の任意の適切なユニットに、本開示の１つ又は複数の実施形態による対応する機能を実施させるのに使用されてもよい。
【０１７７】
図１８に示されるように、装置１８００は、メッセージ設定ユニット１８０２とメッセージ送信ユニット１８０４とを含む。メッセージ設定ユニット１８０２は、ｍｓｇ３及びｍｓｇ５を設定するように設定される。たとえば、ワイヤレスデバイスと関連付けられた識別子（たとえば、５Ｇ−Ｓ−ＴＭＳＩ）が限界を超えている場合（たとえば、４０ビット超過）、メッセージ設定ユニット１８０２は、識別子の少なくとも一部分を含むようにｍｓｇ５を設定する。一実施形態では、メッセージ設定ユニット１８０２は、識別子をｍｓｇ３及びｍｓｇ５の間で分割する。識別子をどのように分割するか（たとえば、識別子の何ビットをｍｓｇ３に設定するか、識別子の何ビットをｍｓｇ５に設定するか、並びにｍｓｇ３又はｍｓｇ５のどちらが最上位ビットを含むか）は、（たとえば、メモリに記憶された規則に基づいて）予め規定されるか、又はネットワークノードと交換されるシグナリングに基づいて決定されてもよい。メッセージ送信ユニット１８０４は、たとえば、ＲＲＣ接続を確立又は再開するプロシージャに従って、ｍｓｇ３及びｍｓｇ５をメッセージ設定ユニット１８０２から受信し、ｍｓｇ３及びｍｓｇ５をネットワークノードに送信する。ユニットという用語は、エレクトロニクス、電気デバイス、及び／又は電子デバイスの分野における従来の意味を有してもよく、たとえば、本明細書に記載されるような、それぞれのタスク、手順、計算、出力、及び／又は表示機能などを実施する、電気及び／又は電子回路、デバイス、モジュール、プロセッサ、メモリ、論理固体及び／又は離散的デバイス、コンピュータプログラム又は命令を含んでもよい。
【０１７８】
いくつかの実施形態では、コンピュータプログラム、コンピュータプログラム製品、又はコンピュータ可読記憶媒体は、コンピュータで実行されたとき、本明細書に開示する実施形態のいずれかを実施する命令を含む。さらなる例では、命令は、信号又はキャリアで伝達され、コンピュータ上で実行可能であり、実行されたとき本明細書に開示する実施形態のいずれかを実施する。
【０１７９】
サンプルの実施形態
グループＡ実施形態
１．ワイヤレスデバイスによって実施される方法であって、以下を含む方法：
−  ｍｓｇ３をネットワークノードに送信することと、
−  ワイヤレスデバイスと関連付けられた識別子の少なくとも一部分を含むｍｓｇ５を、ネットワークノードに送信すること。
２．実施形態１の方法、そこで、ｍｓｇ３が、ワイヤレスデバイスと関連付けられた識別子の別の部分を含む。
３．実施形態１の方法、そこで、識別子の全体がｍｓｇ５でネットワークノードに送信され、識別子の代わりにデータが、ｍｓｇ３でネットワークノードに送信される。
４．実施形態３の方法、そこで、識別子の代わりに送信されるデータが乱数値を含む。
５．前の実施形態のいずれかの方法、そこで、ｍｓｇ３及びｍｓｇ５がＲＲＣメッセージである。
６．前の実施形態のいずれかの方法、そこで、ｍｓｇ３がＲＲＣ要求メッセージに対応し、ｍｓｇ５がＲＲＣセットアップ完了メッセージに対応する。
７．前の実施形態のいずれかの方法、そこで、識別子が５Ｇ−Ｓ一時的移動加入者識別情報（５Ｇ−Ｓ−ＴＭＳＩ）である。
８．前の実施形態のいずれかの方法、そこで、ワイヤレスデバイスと関連付けられた識別子の長さが、ネットワークノードがｍｓｇ３で受信することができる限界を超えている。
９．以下をさらに含む、前の実施形態のいずれかの方法：
−  識別子の少なくとも一部分をｍｓｇ５で送出するように決定すること、決定は、識別子の長さが、ネットワークノードがｍｓｇ３で受信することができる限界を超えているとの判定に応答して実施される。
１０．以下をさらに含む、前の実施形態のいずれかの方法：
−  ネットワークノードから受信される情報に少なくとも部分的に基づいて、識別子のどの部分をｍｓｇ５に含めるかを決定すること。
１１．以下をさらに含む、前の実施形態のいずれかの方法：
−  ユーザデータを提供することと、
−  基地局への送信によって、ユーザデータをホストコンピュータに転送すること。
【０１８０】
グループＢ実施形態
１２．基地局によって実施される方法であって、以下を含む方法：
−  ｍｓｇ３をワイヤレスデバイスから受信することと、
−  ワイヤレスデバイスと関連付けられた識別子の少なくとも一部分を含むｍｓｇ５を、ワイヤレスデバイスから受信すること。
１３．実施形態１１の方法、そこで、ｍｓｇ３が、ワイヤレスデバイスと関連付けられた識別子の別の部分を含む。
１４．実施形態１１の方法、そこで、識別子全体がｍｓｇ５で受信され、識別子の代わりにデータがｍｓｇ３で受信される。
１５．実施形態３の方法、そこで、識別子の代わりに受信されるデータが乱数値を含む。
１６．前の実施形態のいずれかの方法、そこで、ｍｓｇ３及びｍｓｇ５がＲＲＣメッセージである。
１７．前の実施形態のいずれかの方法、そこで、ｍｓｇ３がＲＲＣ要求メッセージに対応し、ｍｓｇ５がＲＲＣセットアップ完了メッセージに対応する。
１８．前の実施形態のいずれかの方法、そこで、識別子が５Ｇ−Ｓ一時的移動加入者識別情報（５Ｇ−Ｓ−ＴＭＳＩ）である。
１９．前の実施形態のいずれかの方法、そこで、ワイヤレスデバイスと関連付けられた識別子の長さが、ネットワークノードがｍｓｇ３で受信することができる限界を超えている。
２０．以下をさらに含む、前の実施形態のいずれかの方法：
−  ｍｓｇ３で受信した識別子の一部分とｍｓｇ５で受信した識別子の部分との組合せに基づいて、識別子を決定すること。
２１．以下をさらに含む、前の実施形態のいずれかの方法：
−  識別子のどの部分をｍｓｇ５に含めるかを示す情報をワイヤレスデバイスに送出すること。
２２．前の実施形態のいずれかの方法であって、受信した識別子をネットワークタスクを実施するのに使用することをさらに含む。
２３．前の実施形態のいずれかの方法であって、ネットワークノードがｍｓｇ３で受信することができる識別子長さの限界を示すインジケータをワイヤレスデバイスに送出することをさらに含む。
２４．以下をさらに含む、前の実施形態のいずれかの方法：
−  ユーザデータを取得することと、
−  ホストコンピュータ又はワイヤレスデバイスにユーザデータを転送すること。
【０１８１】
グループＣ実施形態
２５．ワイヤレスデバイスであって、以下を備えたワイヤレスデバイス：
−  グループＡ実施形態のうちのいずれかの実施形態のステップのうちのいずれかのステップを実行するように設定された処理回路と、
−  ワイヤレスデバイスに電力を供給するように設定された電源回路。
２６．基地局であって、以下を備えた基地局：
−  グループＢ実施形態のうちのいずれかの実施形態のステップのうちのいずれかのステップを実行するように設定された処理回路と、
−  ワイヤレスデバイスに電力を供給するように設定された電源回路。
２７．ユーザ機器（ＵＥ）であって、以下を備えたＵＥ：
−  ワイヤレス信号を送る及び受信するように設定されたアンテナと、
−  アンテナに及び処理回路に接続されており、アンテナと処理回路との間で通信される信号を調節するように設定された無線フロントエンド回路と、
−  グループＡ実施形態のうちのいずれかの実施形態のステップのうちのいずれかのステップを実行するように設定された処理回路と、
−  処理回路に接続されており、ＵＥへの情報の入力が処理回路によって処理されることを可能にするように設定された入力インターフェースと、
−  処理回路に接続されており、処理回路によって処理されたＵＥからの情報を出力するように設定された出力インターフェースと、
−  処理回路に接続されており、ＵＥに電力を供給するように設定されたバッテリ。
２８．コンピュータプログラムであって、コンピュータプログラムが、コンピュータで実行されたときにグループＡ実施形態のいずれかのステップのいずれかを実施する命令を含む。
２９．コンピュータプログラムを含むコンピュータプログラム製品であって、コンピュータプログラムが、コンピュータで実行されたときにグループＡ実施形態のいずれかのステップのいずれかを実施する命令を含む。
３０．コンピュータプログラムを含む非一時的コンピュータ可読記憶媒体又はキャリアであって、コンピュータプログラムが、コンピュータで実行されたときにグループＡ実施形態のいずれかのステップのいずれかを実施する命令を含む。
３１．コンピュータプログラムであって、コンピュータプログラムが、コンピュータで実行されたときにグループＢ実施形態のいずれかのステップのいずれかを実施する命令を含む。
３２．コンピュータプログラムを含むコンピュータプログラム製品であって、コンピュータプログラムが、コンピュータで実行されたときにグループＢ実施形態のいずれかのステップのいずれかを実施する命令を含む。
３３．コンピュータプログラムを含む非一時的コンピュータ可読記憶媒体又はキャリアであって、コンピュータプログラムが、コンピュータで実行されたときにグループＢ実施形態のいずれかのステップのいずれかを実施する命令を含む。
３４．以下を備えたホストコンピュータを含む通信システム：
−  ユーザデータを提供するように設定された処理回路と、
−  ユーザ機器（ＵＥ）への送信のためにセルラネットワークにユーザデータを転送するように設定された通信インターフェース、
−  そこで、セルラネットワークは、無線インターフェース及び処理回路を有する基地局を備え、基地局の処理回路は、グループＢ実施形態のうちのいずれかの実施形態のステップのうちのいずれかのステップを実行するように設定されている。
３５．基地局をさらに含む、前の実施形態の通信システム。
３６．さらにＵＥを含む、前の２つの実施形態の通信システム、そこで、ＵＥは基地局と通信するように設定される。
３７．前の３つの実施形態の通信システム、そこで：
−  ホストコンピュータの処理回路は、ホストアプリケーションを実行するように設定され、それによってユーザデータを提供する、そして、
−  ＵＥは、ホストアプリケーションと関連するクライアントアプリケーションを実行するように設定された処理回路を備える。
３８．ホストコンピュータ、基地局及びユーザ機器（ＵＥ）を含む通信システムにおいて実装される方法であって、以下を含む方法：
−  ホストコンピュータにおいて、ユーザデータを提供することと、
−  ホストコンピュータにおいて、基地局を備えたセルラネットワークを介してＵＥにユーザデータを運ぶ送信を開始すること、そこで、基地局は、グループＢ実施形態のうちのいずれかの実施形態のステップのうちのいずれかのステップを実行する。
３９．基地局において、ユーザデータを送信することをさらに含む、前の実施形態の方法。
４０．前の２つの実施形態の方法、そこで、ユーザデータは、ホストアプリケーションを実行することによってホストコンピュータにおいて提供され、本方法は、ＵＥにおいて、ホストアプリケーションと関連するクライアントアプリケーションを実行することをさらに含む。
４１．基地局と通信するように設定されたユーザ機器（ＵＥ）であって、前の３つの実施形態を実行するように設定された無線インターフェース及び処理回路を備えたＵＥ。
４２．以下を備えた、ホストコンピュータを含む通信システム：
−  ユーザデータを提供するように設定された処理回路と、
−  ユーザ機器（ＵＥ）への送信のためにセルラネットワークにユーザデータを転送するように設定された通信インターフェース、
−  そこで、ＵＥは、無線インターフェース及び処理回路を備え、ＵＥの構成要素は、グループＡ実施形態のうちのいずれかの実施形態のステップのうちのいずれかのステップを実行するように設定される。
４３．前の実施形態の通信システム、そこで、セルラネットワークは、ＵＥと通信するように設定された基地局をさらに含む。
４４．前の２つの実施形態の通信システム、そこで：
−  ホストコンピュータの処理回路は、ホストアプリケーションを実行するように設定され、それによってユーザデータを提供する、そして、
−  ＵＥの処理回路は、ホストアプリケーションと関連するクライアントアプリケーションを実行するように設定される。
４５．ホストコンピュータ、基地局及びユーザ機器（ＵＥ）を含む通信システムにおいて実装される方法であって、以下を含む方法：
−  ホストコンピュータにおいて、ユーザデータを提供することと、
−  ホストコンピュータにおいて、基地局を備えたセルラネットワークを介してＵＥにユーザデータを運ぶ送信を開始すること、そこで、ＵＥは、グループＡ実施形態のうちのいずれかの実施形態のステップのうちのいずれかのステップを実行する。
４６．ＵＥにおいて、基地局からユーザデータを受信することをさらに含む、前の実施形態の方法。
４７．以下を備えたホストコンピュータを含む通信システム：
−  ユーザ機器（ＵＥ）から基地局への送信に由来するユーザデータを受信するように設定された通信インターフェース、
−  そこで、ＵＥは、無線インターフェース及び処理回路を備え、ＵＥの処理回路は、グループＡ実施形態のうちのいずれかの実施形態のステップのうちのいずれかのステップを実行するように設定される。
４８．ＵＥをさらに含む、前の実施形態の通信システム。
４９．基地局をさらに含む、前の２つの実施形態の通信システムであって、そこで、基地局は、ＵＥと通信するように設定された無線インターフェースと、ＵＥから基地局への送信によって運ばれたユーザデータをホストコンピュータに転送するように設定された通信インターフェースとを含む。
５０．前の３つの実施形態の通信システム、そこで：
−  ホストコンピュータの処理回路は、ホストアプリケーションを実行するように設定され、そして、
−  ＵＥの処理回路は、ホストアプリケーションと関連するクライアントアプリケーションを実行するように設定され、それによってユーザデータを提供する。
５１．前の４つの実施形態の通信システム、そこで：
−  ホストコンピュータの処理回路は、ホストアプリケーションを実行するように設定され、それによって要求データを提供し、そして、
−  ＵＥの処理回路は、ホストアプリケーションと関連するクライアントアプリケーションを実行するように設定され、それによって要求データに応答してユーザデータを提供する。
５２．ホストコンピュータ、基地局及びユーザ機器（ＵＥ）を含む通信システムにおいて実装される方法であって、以下を含む方法：
−  ホストコンピュータにおいて、ＵＥから基地局に送信されるユーザデータを受信すること、そこで、ＵＥは、グループＡ実施形態のうちのいずれかの実施形態のステップのうちのいずれかのステップを実行する。
５３．ＵＥにおいて、基地局にユーザデータを提供することをさらに含む、前の実施形態の方法。
５４．以下をさらに含む、前の２つの実施形態の方法：
−  ＵＥにおいて、クライアントアプリケーションを実行し、それによって送信されることになるユーザデータを提供することと、
−  ホストコンピュータにおいて、クライアントアプリケーションと関連するホストアプリケーションを実行すること。
５５．以下をさらに含む、前の３つの実施形態の方法：
−  ＵＥにおいて、クライアントアプリケーションを実行することと、
−  ＵＥにおいて、クライアントアプリケーションへの入力データを受信することであり、入力データは、クライアントアプリケーションと関連するホストアプリケーションを実行することによって、ホストコンピュータにおいて提供される、こと、
−  そこで、送信されることになるユーザデータは、入力データに応答して、クライアントアプリケーションによって提供される。
５６．ユーザ機器（ＵＥ）から基地局への送信に由来するユーザデータを受信するように設定された通信インターフェースを備えたホストコンピュータを含む通信システム、そこで、基地局は、無線インターフェース及び処理回路を備え、基地局の処理回路は、グループＢ実施形態のうちのいずれかの実施形態のステップのうちのいずれかのステップを実行するように設定される。
５７．基地局をさらに含む、前の実施形態の通信システム。
５８．ＵＥをさらに含む、前の２つの実施形態の通信システム、そこで、ＵＥは、基地局と通信するように設定される。
５９．前の３つの実施形態の通信システム、そこで：
−  ホストコンピュータの処理回路は、ホストアプリケーションを実行するように設定され、
−  ＵＥは、ホストアプリケーションと関連するクライアントアプリケーションを実行するように設定され、それによって、ホストコンピュータによって受信されることになるユーザデータを提供する。
６０．ホストコンピュータ、基地局及びユーザ機器（ＵＥ）を含む通信システムにおいて実装される方法であって、以下を含む方法：
−  ホストコンピュータにおいて、基地局がＵＥから受信した送信に由来するユーザデータを基地局から受信すること、そこで、ＵＥは、グループＡ実施形態のうちのいずれかの実施形態のステップのうちのいずれかのステップを実行する。
６１．基地局において、ＵＥからユーザデータを受信することをさらに含む、前の実施形態の方法。
６２．基地局において、受信されたユーザデータのホストコンピュータへの送信を開始することをさらに含む、前の２つの実施形態の方法。
【０１８２】
図１９は、ワイヤレスデバイスで使用される別の方法１９００の一例を示している。方法１９００は、要求メッセージをネットワークノードに送信する、ステップ１９１０で始まってもよい。一例として、要求メッセージはｍｓｇ１に対応してもよい。要求メッセージは、ネットワークノードに、第１のメッセージを送信するためのリソースをワイヤレスデバイスにグラントするように要求する。概して、第１のメッセージはワイヤレスデバイスに、５Ｇ−Ｓ−ＴＭＳＩなど、一時的デバイス識別子の少なくとも一部分を送信する選択肢を提供する。第１のメッセージは必ずしも一連のメッセージの最初でなくてもよい。たとえば、特定の実施形態では、第１のメッセージは、ｍｓｇ１に続いて送信されるＲＲＣセットアップ要求など、ｍｓｇ３に対応してもよい。
【０１８３】
ステップ１９２０で、ワイヤレスデバイスに第１のメッセージを送信するためのリソースをグラントするグラントメッセージは、ネットワークノードから受信されてもよい。たとえば、リソースをワイヤレスデバイスにグラントするｍｓｇ２は、ステップ１９１０でワイヤレスデバイスがリソースの要求を送出したネットワークノードから受信されてもよい。
【０１８４】
ステップ１９３０で、ワイヤレスデバイスは、ワイヤレスデバイスによって送信される一時的デバイス識別子の長さが、ネットワークノードが後続のメッセージで受信することができる限界を超えているか否かを判定してもよい。一例として、ワイヤレスデバイスは、ネットワークノードが、最大４０ビットの一時的デバイス識別子をＲＲＣ要求メッセージ（たとえば、ｍｓｇ３）で受信することができると判定するものとする。ワイヤレスデバイスによって送信される一時的デバイス識別子が４０ビット超過、たとえば４８ビットの５Ｇ−Ｓ−ＴＭＳＩである場合、方法は、限界を超えていると判定し、ステップ１９５０に進んでもよい。他方で、ワイヤレスデバイスによって送信される一時的デバイス識別子が４０ビット（すなわち、この例でネットワークノードが受信することができる限界）以下の場合、方法はステップ１９４０に進んでもよい。
【０１８５】
ステップ１９４０で、一時的デバイス識別子が限界を超えていないと判定されると、一時的デバイス識別子を含む第１のメッセージがネットワークノードに送信されてもよい。たとえば、ワイヤレスデバイスは、ＲＲＣ要求メッセージをｍｓｇ３で送出してもよく、それは、たとえば一時的デバイス識別子が収まるので、その全体を含んでもよい。
【０１８６】
ステップ１９３０で、限界を超えている場合、方法１９００は、ステップ１９５０で始まる他方の分岐に行ってもよい。ステップ１９５０で、第１のメッセージがネットワークノードに送信され、第１のメッセージは、一時的デバイス識別子の第１の部分を含む。ステップ１９６０で、第２のメッセージがネットワークノードに送信され、第２のメッセージは、一時的デバイス識別子の第２の部分を含む。特定の実施形態では、ステップ１９５０の第１のメッセージはＲＲＣ要求メッセージであり、ステップ１９６０の第２のメッセージはＲＲＣセットアップ完了メッセージである。第２のメッセージは、ＲＲＣ要求メッセージに応答してネットワークノードからＲＲＣセットアップメッセージを受信したことに応答して、ワイヤレスデバイスによって送出されてもよい。
【０１８７】
特定の実施形態では、第１のメッセージを送信する前に、ワイヤレスデバイスは、一時的デバイス識別子を第１の部分及び第２の部分に分割してもよい。これは、ワイヤレスデバイスとネットワークとの間に提供される所定の構成若しくは理解若しくは設定に基づいて、或いは規格に基づいて、又はワイヤレスデバイスとネットワークノードとの間の通信中に指示されて、部分が取得され再アセンブルされるように行われてもよい。一例として、特定の実施形態では、一時的デバイス識別子は、一時的デバイス識別子のどの部分を第１のメッセージ又は第２のメッセージに含めるかを示す、ネットワークノードからの受信情報に基づいて分割されてもよい（たとえば、ネットワークノードは、第１のメッセージに含めるビット数、第２のメッセージに含めるビット数、どのメッセージが最上位ビットを含むべきか、並びに／又はどのメッセージが最下位ビットを含むべきかを示してもよい）。いくつかの実施形態では、ワイヤレスデバイスは、一時的デバイス識別子の長さが、ネットワークノードが第１のメッセージで受信することができる限界を超えていると判定された場合のみ、一時的デバイス識別子を分割する。
【０１８８】
したがって、図１９は方法の一例を示しており、それによって、ワイヤレスデバイス、たとえばワイヤレスデバイス１１０、２００、３３０、４９１、４９２、５３０が、識別子を省略したものを使用することなく、又はワイヤレスデバイスとネットワークノードとの間の接続をセットアップする際に遅延を引き起こすことなく、ネットワークノード、たとえばＬＴＥ  ｅＮＢにおける限界を超えていてもよい識別子を扱ってもよい。ワイヤレスデバイスが一時的デバイス識別子を分割するのを許容することによって、ワイヤレスデバイスは、ｍｓｇ３で送信する限界を超えている場合であっても、上位アプリケーションが一時的デバイス識別子を使用する前に、完全な一時的デバイス識別子を送信してもよい。
【０１８９】
図２０は、ワイヤレスデバイスで使用される別の方法２０００の一例を示している。ステップ２０１０で、第１のメッセージがネットワークノードに送信される。第１のメッセージは５Ｇ−Ｓ−ＴＭＳＩの第１の部分を含んでもよい。たとえば、ワイヤレスデバイス（たとえば、ワイヤレスデバイス１１０）は、５Ｇ−Ｓ−ＴＭＳＩのすべてに満たない一部分をｍｓｇ３のＲＲＣ接続要求でネットワークノード候補に、たとえばネットワークノード１６０に送信してもよい。
【０１９０】
５Ｇ−Ｓ−ＴＭＳＩの他方の部分は後のメッセージで送信されてもよい。たとえば、ステップ２０２０で、第２のメッセージがネットワークノードに送信される。第２のメッセージは５Ｇ−Ｓ−ＴＭＳＩの第２の部分を含む。特定の実施形態では、５Ｇ−Ｓ−ＴＭＳＩの第１及び第２の部分が識別子のすべてのビットを含んでもよく、それにより、ネットワークノードは、第１及び第２のメッセージでそれぞれ送信された第１及び第２の部分を使用して、識別子全体を再構築してもよい。いくつかの実施形態では、第１のメッセージはｍｓｇ３  ＲＲＣ接続要求であり、第２のメッセージはｍｓｇ５  ＲＲＣセットアップ完了メッセージである。このように、ワイヤレスデバイスは、識別子が、ネットワークノードが第１のメッセージで受信することができる限界を超えている場合であっても、識別子全体をネットワークノードに通信してもよい。
【０１９１】
特定の実施形態では、方法２０００は１つ又は複数の任意のステップを含んでもよい。一組の実施形態では、方法２０００は、ステップ２０１０及び２０２０の前に行われてもよい、任意のステップ２０３０及び２０４０をさらに含んでもよい。ステップ２０３０で、ネットワークノードが第１のメッセージを送信するためのリソースをワイヤレスデバイスにグラントするように要求する要求メッセージが、ワイヤレスデバイスによって送信される。ステップ２０４０で、ワイヤレスデバイスは、ネットワークノードから、第１のメッセージを送信するためのリソースをワイヤレスデバイスにグラントするグラントメッセージを受信してもよい。したがって、これらのステップは、ワイヤレスデバイスがその一時的デバイス識別子を送信してもよい状況をセットアップし得る。たとえば、要求メッセージはリソースを要求するｍｓｇ１であってもよく、グラントメッセージは、それに関するＲＲＣ情報が送信されてもよいリソースをグラントするｍｓｇ２であってもよい。
【０１９２】
別の一組の実施形態では、方法は、５Ｇ−Ｓ−ＴＭＳＩを第１の部分及び第２の部分に分割することをさらに含んでもよい（ステップ２０５０）。たとえば、ワイヤレスデバイスは、５Ｇ−Ｓ−ＴＭＳＩを分割するように決定してもよく、又は分割するように命令されてもよい。これは、５Ｇ−Ｓ−ＴＭＳＩがネットワークノードの限界を超えていることの結果であることもあり（たとえば、ｍｓｇ３の要求で、識別子に対して最大４０ビットまでしか許容できないｅＮＢ）、又は別の理由で実現されることもある。いくつかの実施形態では、ワイヤレスデバイスは、５Ｇ−Ｓ−ＴＭＳＩが、ワイヤレスデバイスが接続を試行しているネットワークノードの所定の限界を超えているか否かを独立して判定してもよい。ワイヤレスデバイスは次に、５Ｇ−Ｓ−ＴＭＳＩを適切な形で分割してもよい。たとえば、５Ｇ−Ｓ−ＴＭＳＩを均等に２つの部分に分割してもよい。或いは、第１の部分が可能な最大のビット数を含み、第２の部分が残りを含むように、５Ｇ−Ｓ−ＴＭＳＩを分割してもよい。さらに別の例として、特定の指定されたビットが、たとえば最上位ビット又は最下位ビットが第１の部分に、残りが第２の部分に含まれてもよい。結果として、ワイヤレスデバイスは、２つのメッセージを通じて５Ｇ−Ｓ−ＴＭＳＩを送信してもよく、それによって、新無線及びＬＴＥで実現される広範なシステムにわたってより大きいサイズの識別子に適応してもよい。
【０１９３】
図２１は、ネットワークノードで使用される方法２１００を示している。たとえば、方法２１００は、ワイヤレスデバイス１１０などのワイヤレスデバイスにサーブする、適切なネットワークノード、たとえばネットワークノード１６０で実現されてもよい。方法２１００は、第１のメッセージがワイヤレスデバイスから受信される、ステップ２１１０で始まってもよい。第１のメッセージは、ワイヤレスデバイスと関連付けられた５Ｇ−Ｓ−ＴＭＳＩの第１の部分を含む。ネットワークノードは、指示をワイヤレスデバイスから受信すること、識別子がネットワークノードの限界を超えていることがあるという指示を提供する情報をネットワークから受信すること、又は識別子が完全でないことをネットワークノードで判定することによるなど、適切な方法によって、これが５Ｇ−Ｓ−ＴＭＳＩの第１の部分のみであると推論してもよい。第１の部分は、たとえばＲＲＣ接続要求とともに、ｍｓｇ３など、先のメッセージで受信されてもよい。
【０１９４】
ステップ２１２０で、５Ｇ−Ｓ−ＴＭＳＩの第２の部分を含む第２のメッセージが受信される。たとえば、ワイヤレスデバイスは、ネットワークノードによって送出されるＲＲＣセットアップメッセージに応答してＲＲＣセットアップ完了メッセージを送信するｍｓｇ５など、後続のメッセージで５Ｇ−Ｓ−ＴＭＳＩの別の部分を送信してもよい。いくつかの実施形態では、ネットワークノードによって受信される第１及び第２の部分は、５Ｇ−Ｓ−ＴＭＳＩのすべてのビットを含む。特定の実施形態では、５Ｇ−Ｓ−ＴＭＳＩのサイズは、ネットワークノードが第１のメッセージで受信することができる限界を超えているので、２つのメッセージで受信する必要がある。
【０１９５】
ステップ２１３０で、ネットワークノードは、ワイヤレスデバイスからメッセージで受信した第１及び第２の部分を再アセンブルすることによって、５Ｇ−Ｓ−ＴＭＳＩを取得してもよい。たとえば、ネットワークノードに、第１及び第２の部分をどのように組み合わせて完全な５Ｇ−Ｓ−ＴＭＳＩを取得するかがシグナリングされてもよい。別の例として、ネットワークノードは、規格に従って動作して５Ｇ−Ｓ−ＴＭＳＩを再アセンブルしてもよい。
【０１９６】
特定の実施形態では、ネットワークノードは、ワイヤレスデバイスに、５Ｇ−Ｓ−ＴＭＳＩのどのビットを第１の部分又は第２の部分に含めるかを示す情報を送信する。たとえば、この情報は、ネットワークによってカバーされるセル又はエリアのブロードキャストである上位シグナリング又は設定情報の一部であってもよい。特定の実施形態では、これは、たとえばｍｓｇ３が送出される前の、ワイヤレスデバイスを対象とする設定セットアップの一部であってもよい。特定の実施形態では、ネットワークノードは、ネットワークノードが第１のメッセージで受信することができる５Ｇ−Ｓ−ＴＭＳＩの第１の部分の長さを示すインジケータを明示的に送信する。これらの様々な手法では、ネットワークノードは、ワイヤレスデバイスが、ネットワークノードに送信するために５Ｇ−Ｓ−ＴＭＳＩを分割するか否かを判定できるようにしてもよい。
【０１９７】
結果として、方法２１００は、２つの後続メッセージにわたって５Ｇ−Ｓ−ＴＭＳＩを受信する方法を提供し、完全な５Ｇ−Ｓ−ＴＭＳＩを取得してもよい。５Ｇ−Ｓ−ＴＭＳＩはさらに、任意の後続のメッセージ又はシグナリングでワイヤレスデバイスを識別するのに、ネットワークノードによって使用されてもよい。したがって、５Ｇ−Ｓ−ＴＭＳＩのサイズが、ネットワークノードがｍｓｇ３で受信することができるサイズを超えている場合であっても、ネットワークのシグナリングにおける過度の遅延なしに、より大きい５Ｇ−Ｓ−ＴＭＳＩが適応されてもよい。
【０１９８】
特定の実施形態では、方法１９００、２０００、及び２１００は、追加の、より少ない、又は異なるステップを含んでもよい。それに加えて、本明細書に記載する方法は、ネットワークノード１６０及びワイヤレスデバイス１１０など、ネットワーク１０６の１つ若しくは複数の構成要素、又は図８〜１２を使用して本明細書に記載した他の任意の構成要素で実現されてもよい。方法１９００、２０００、及び２１００の特定のステップについて記載するのに特定の構成要素を使用してきたが、それぞれの方法の１つ又は複数のステップを実施するのに、任意の適切な構成要素が使用されてもよい。
【０１９９】
いくつかの実施形態を用いて本開示について記載してきたが、多種多様な変更、変形、調整、変換、及び修正が当業者に提案されてもよく、本開示は、かかる変更、変形、調整、変換、及び修正を、添付の特許請求の範囲内にあるものとして包含するものとする。
【図１】
2021520722.tif 000003
【図２Ａ】
2021520722.tif 000004
【図２Ｂ】
2021520722.tif 000005
【図３】
2021520722.tif 000006
【図４Ａ】
2021520722.tif 000007
【図４Ｂ】
2021520722.tif 000008
【図５】
2021520722.tif 000009
【図６】
2021520722.tif 000010
【図７】
2021520722.tif 000011
【図８】
2021520722.tif 000012
【図９】
2021520722.tif 000013
【図１０】
2021520722.tif 000014
【図１１】
2021520722.tif 000015
【図１２】
2021520722.tif 000016
【図１３】
2021520722.tif 000017
【図１４】
2021520722.tif 000018
【図１５】
2021520722.tif 000019
【図１６】
2021520722.tif 000020
【図１７】
2021520722.tif 000021
【図１８】
2021520722.tif 000022
【図１９】
2021520722.tif 000023
【図２０】
2021520722.tif 000024
【図２１】
2021520722.tif 000025
【手続補正書】
【提出日】令和2年12月16日(2020.12.16)
【手続補正１】
【補正対象書類名】特許請求の範囲
【補正対象項目名】全文
【補正方法】変更
【補正の内容】
【特許請求の範囲】
【請求項１】
ネットワークノードに対して、第１のメッセージを送信するためのリソースをワイヤレスデバイスにグラントするように前記ネットワークノードに要求する要求メッセージを送信すること（１９１０）と、
前記ネットワークノードから、前記第１のメッセージを送信するための前記リソースを前記ワイヤレスデバイスにグラントするグラントメッセージを受信すること（１９２０）と、
前記グラントメッセージの内容に少なくとも部分的に基づいて、前記ワイヤレスデバイスの一時的デバイス識別子の長さが、前記ネットワークノードが前記第１のメッセージで受信することができる限界を超えているか否かを判定すること（１９３０）と、
前記一時的デバイス識別子が前記限界を超えていない場合、前記一時的デバイス識別子を含む前記第１のメッセージを前記ネットワークノードに送信すること（１９４０）と、
前記一時的デバイス識別子が前記限界を超えている場合、
前記一時的デバイス識別子の第１の部分を含む前記第１のメッセージを前記ネットワークノードに送信すること（１９５０）と、
前記一時的デバイス識別子の第２の部分を含む第２のメッセージを前記ネットワークノードに送信すること（１９６０）と、を含む、ワイヤレスデバイスによって実施される方法（１９００）。
【請求項２】
命令を記憶するように設定されたメモリ（１３０、２１５、３９０−１、３９０−２）と、
前記命令を実行するように設定された処理回路（１２０、２０１、３６０、５３８）とを備える、ワイヤレスデバイス（１１０、２００、３３０、４９１、４９２、５３０）であって、
ネットワークノードに対して、第１のメッセージを送信するためのリソースを前記ワイヤレスデバイスにグラントするように前記ネットワークノードに要求する要求メッセージを送信し、
前記ネットワークノードから、前記第１のメッセージを送信するための前記リソースを前記ワイヤレスデバイスにグラントするグラントメッセージを受信し、
前記グラントメッセージの内容に少なくとも部分的に基づいて、前記ワイヤレスデバイスの一時的デバイス識別子の長さが、前記ネットワークノードが前記第１のメッセージで受信することができる限界を超えているか否かを判定し、
前記一時的デバイス識別子が前記限界を超えていない場合、前記一時的デバイス識別子を含む前記第１のメッセージを前記ネットワークノードに送信し、
前記一時的デバイス識別子が前記限界を超えている場合、
前記一時的デバイス識別子の第１の部分を含む前記第１のメッセージを前記ネットワークノードに送信し、
前記一時的デバイス識別子の第２の部分を含む第２のメッセージを前記ネットワークノードに送信するように設定される、ワイヤレスデバイス（１１０、２００、３３０、４９１、４９２、５３０）。
【請求項３】
コンピュータ可読プログラムコードを記憶する非一時的コンピュータ可読媒体（１３０、２１５、３９０−１、３９０−２）を備え、前記コンピュータ可読プログラムコードが、
ネットワークノードに対して、第１のメッセージを送信するためのリソースをワイヤレスデバイスにグラントするように前記ネットワークノードに要求する要求メッセージを送信するプログラムコードと、
前記ネットワークノードから、前記第１のメッセージを送信するための前記リソースを前記ワイヤレスデバイスにグラントするグラントメッセージを受信するプログラムコードと、
前記グラントメッセージの内容に少なくとも部分的に基づいて、前記ワイヤレスデバイスの一時的デバイス識別子の長さが、前記ネットワークノードが前記第１のメッセージで受信することができる限界を超えているか否かを判定するプログラムコードと、
前記一時的デバイス識別子が前記限界を超えていない場合、前記一時的デバイス識別子を含む前記第１のメッセージを前記ネットワークノードに送信するプログラムコードと、
前記一時的デバイス識別子が前記限界を超えている場合、
前記一時的デバイス識別子の第１の部分を含む前記第１のメッセージを前記ネットワークノードに送信し、
前記一時的デバイス識別子の第２の部分を含む第２のメッセージを前記ネットワークノードに送信するプログラムコードと、を含む、コンピュータプログラム製品。
【請求項４】
第５世代システム一時的移動加入者識別情報（５Ｇ−Ｓ−ＴＭＳＩ）の第１の部分を含む第１のメッセージをネットワークノードに送信すること（２０１０）と、
前記５Ｇ−Ｓ−ＴＭＳＩの第２の部分を含む第２のメッセージを前記ネットワークノードに送信すること（２０２０）と、を含む、ワイヤレスデバイスによって実施される方法（２０００）。
【請求項５】
命令を記憶するように設定されたメモリ（１３０、２１５、３９０−１、３９０−２）と、
前記命令を実行するように設定された処理回路（１２０、２０１、３６０、５３８）とを備える、ワイヤレスデバイス（１１０、２００、３３０、４９１、４９２、５３０）であって、
第５世代システム一時的移動加入者識別情報（５Ｇ−Ｓ−ＴＭＳＩ）の第１の部分を含む第１のメッセージをネットワークノードに送信し、
前記５Ｇ−Ｓ−ＴＭＳＩの第２の部分を含む第２のメッセージを前記ネットワークノードに送信するように設定される、ワイヤレスデバイス（１１０、２００、３３０、４９１、４９２、５３０）。
【請求項６】
前記第１のメッセージが無線リソース制御（ＲＲＣ）要求を含む、請求項５に記載のワイヤレスデバイス。
【請求項７】
前記第２のメッセージがＲＲＣセットアップ完了メッセージを含む、請求項５又は６に記載のワイヤレスデバイス。
【請求項８】
前記第２のメッセージが、ＲＲＣセットアップメッセージを前記ネットワークノードから受信したことに応答して送信される、請求項５から７のいずれか一項に記載のワイヤレスデバイス。
【請求項９】
前記第１のメッセージ及び前記第２のメッセージを送信する前に、
前記ネットワークノードに対して、前記第１のメッセージを送信するためのリソースを前記ワイヤレスデバイスにグラントするように前記ネットワークノードに要求する要求メッセージを送信し、
前記ネットワークノードから、前記第１のメッセージを送信するための前記リソースを前記ワイヤレスデバイスにグラントするグラントメッセージを受信するように設定される、請求項５から８のいずれか一項に記載のワイヤレスデバイス。
【請求項１０】
前記第１のメッセージ及び前記第２のメッセージを送信する前に、前記５Ｇ−Ｓ−ＴＭＳＩを前記第１の部分及び前記第２の部分に分割するように設定される、請求項５から９のいずれか一項に記載のワイヤレスデバイス。
【請求項１１】
前記５Ｇ−Ｓ−ＴＭＳＩを前記第１の部分及び前記第２の部分に分割することが、前記５Ｇ−Ｓ−ＴＭＳＩの長さが、前記ネットワークノードが前記第１のメッセージで受信することができる限界を超えているとの判定に基づく、請求項１０に記載のワイヤレスデバイス。
【請求項１２】
前記ワイヤレスデバイスが、前記ネットワークノードから受信する情報に少なくとも部分的に基づいて、前記５Ｇ−Ｓ−ＴＭＳＩのどの部分を前記第２のメッセージに含めるかを判定するようにさらに設定される、請求項５から１１のいずれか一項に記載のワイヤレスデバイス。
【請求項１３】
コンピュータ可読プログラムコードを記憶する非一時的コンピュータ可読媒体（１３０、２１５、３９０−１、３９０−２）を備え、前記コンピュータ可読プログラムコードが、
第５世代システム一時的移動加入者識別情報（５Ｇ−Ｓ−ＴＭＳＩ）の第１の部分を含む第１のメッセージをネットワークノードに送信するプログラムコードと、
前記５Ｇ−Ｓ−ＴＭＳＩの第２の部分を含む第２のメッセージを前記ネットワークノードに送信するプログラムコードと、を含む、コンピュータプログラム製品。
【請求項１４】
第５世代システム一時的移動加入者識別情報（５Ｇ−Ｓ−ＴＭＳＩ）の第１の部分を含む第１のメッセージをワイヤレスデバイスから受信すること（２１１０）と、
前記５Ｇ−Ｓ−ＴＭＳＩの第２の部分を含む第２のメッセージを前記ワイヤレスデバイスから受信すること（２１２０）と、
前記ワイヤレスデバイスから受信した前記５Ｇ−Ｓ−ＴＭＳＩの前記第１の部分及び前記５Ｇ−Ｓ−ＴＭＳＩの前記第２の部分を再アセンブルすることによって、前記５Ｇ−Ｓ−ＴＭＳＩを取得すること（２１３０）と、を含む、ネットワークノードによって実施される方法（２１００）。
【請求項１５】
命令を記憶するように設定されたメモリ（１８０、３９０−１、３９０−２）と、
前記命令を実行するように設定された処理回路（１７０、３６０、５２８）とを備える、ネットワークノード（１６０、３３０、４１２、５２０）であって、
第５世代システム一時的移動加入者識別情報（５Ｇ−Ｓ−ＴＭＳＩ）の第１の部分を含む第１のメッセージをワイヤレスデバイスから受信し、
前記５Ｇ−Ｓ−ＴＭＳＩの第２の部分を含む第２のメッセージを前記ワイヤレスデバイスから受信し、
前記ワイヤレスデバイスから受信した前記５Ｇ−Ｓ−ＴＭＳＩの前記第１の部分及び前記５Ｇ−Ｓ−ＴＭＳＩの前記第２の部分を再アセンブルすることによって、前記５Ｇ−Ｓ−ＴＭＳＩを取得するように設定される、ネットワークノード（１６０、３３０、４１２、５２０）。
【請求項１６】
前記取得した５Ｇ−Ｓ−ＴＭＳＩのサイズが、前記ネットワークノードが前記第１のメッセージで受信することができる限界を超えている、請求項１５に記載のネットワークノード。
【請求項１７】
前記第１のメッセージが無線リソース制御（ＲＲＣ）要求を含む、請求項１５又は１６に記載のネットワークノード。
【請求項１８】
前記第２のメッセージがＲＲＣセットアップ完了メッセージを含む、請求項１５から１７のいずれか一項に記載のネットワークノード。
【請求項１９】
前記ネットワークノードが、前記第１のメッセージの受信に応答して、ＲＲＣセットアップメッセージを前記ワイヤレスデバイスに送信するようにさらに設定される、請求項１５から１８のいずれか一項に記載のネットワークノード。
【請求項２０】
前記第１のメッセージ及び前記第２のメッセージを受信する前に、
前記ワイヤレスデバイスから、前記第１のメッセージを送信するためのリソースを前記ワイヤレスデバイスにグラントするように前記ネットワークノードに要求する要求メッセージを受信し、
前記ワイヤレスデバイスに、前記第１のメッセージを送信するための前記リソースを前記ワイヤレスデバイスにグラントするグラントメッセージを送信するように設定される、請求項１５から１９のいずれか一項に記載のネットワークノード。
【請求項２１】
前記ネットワークノードが、前記ワイヤレスデバイスに、前記５Ｇ−Ｓ−ＴＭＳＩのどのビットを前記第１の部分又は前記第２の部分に含めるかを示す情報を送信するようにさらに設定される、請求項１５から２０のいずれか一項に記載のネットワークノード。
【請求項２２】
前記ネットワークノードが、前記ワイヤレスデバイスに、前記ネットワークノードが前記第１のメッセージで受信することができる前記５Ｇ−Ｓ−ＴＭＳＩの前記第１の部分の長さを示すインジケータを送信するようにさらに設定される、請求項１５から２１のいずれか一項に記載のネットワークノード。
【請求項２３】
前記ネットワークノードが、前記５Ｇ−Ｓ−ＴＭＳＩを使用して、前記ワイヤレスデバイスを後続のメッセージにおいて識別するようにさらに設定される、請求項１５から２２のいずれか一項に記載のネットワークノード。
【請求項２４】
コンピュータ可読プログラムコードを記憶する非一時的コンピュータ可読媒体（１８０、３９０−１、３９０−２）を備え、前記コンピュータ可読プログラムコードが、
第５世代システム一時的移動加入者識別情報（５Ｇ−Ｓ−ＴＭＳＩ）の第１の部分を含む第１のメッセージをワイヤレスデバイスから受信するプログラムコードと、
前記５Ｇ−Ｓ−ＴＭＳＩの第２の部分を含む第２のメッセージを前記ワイヤレスデバイスから受信するプログラムコードと、
前記ワイヤレスデバイスから受信した前記５Ｇ−Ｓ−ＴＭＳＩの前記第１の部分及び前記５Ｇ−Ｓ−ＴＭＳＩの前記第２の部分を再アセンブルすることによって、前記５Ｇ−Ｓ−ＴＭＳＩを取得するプログラムコードと、を備える、コンピュータプログラム製品。
【国際調査報告】
2021520722.tif 000026
2021520722.tif 000027
2021520722.tif 000028
2021520722.tif 000029